(57)【要約】【課題】病院等の施設において、患者等の表示対象に関する、より適切な情報を表示装置等表示させる情報処理装置を提供する。【解決手段】情報処理装置は、所定の領域で検出され、端末識別情報を発信する無線端末を装着した表示対象の情報を管理する情報管理部と、所定の領域に設置され、複数の測位装置から送信される端末識別情報及び測位装置の装置識別情報と測位装置が設置された設置場所の情報とから特定される、表示対象が検出された領域である検出領域を含む位置情報を管理する位置情報管理部と、表示対象の位置情報が検出されなかった場合、表示対象が最後に検出された検出領域に応じて、所定の期間、最後に検出された検出領域にて表示対象が検出されたとするよう位置情報を補正する補正制御部と、補正された検出領域を含む位置情報を用いて、表示対象の情報を表示装置に表示させる表示制御部と、を有する。【選択図】図２７
2020194607.tif 000002
【特許請求の範囲】
【請求項１】
施設内の所定の領域で検出される表示対象の情報を表示装置に表示させる情報処理装置であって、
前記所定の領域で検出され、端末識別情報を発信する無線端末を装着した前記表示対象の情報を管理する情報管理部と、
前記所定の領域に設置され、複数の測位装置から送信される前記端末識別情報及び前記測位装置の装置識別情報と前記測位装置が設置された設置場所の情報とから特定される、前記表示対象が検出された領域である検出領域を含む位置情報を管理する位置情報管理部と、
前記表示対象の前記位置情報が検出されなかった場合、前記表示対象が最後に検出された前記検出領域に応じて、所定の期間、前記最後に検出された検出領域にて前記表示対象が検出されたとするよう前記位置情報を補正する補正制御部と、
補正された検出領域を含む前記位置情報を用いて、前記表示対象の情報を前記表示装置に表示させる表示制御部と、
を有する情報処理装置。
【請求項２】
前記複数の測位装置は、互いに異なる複数の検出領域を形成し、
前記複数の検出領域は、他の検出領域を介さずに前記所定の領域とは異なる場所に移動できない１つ以上の第１の検出領域を含み、
前記補正制御部は、
前記表示対象が最後に検出された前記検出領域が、前記第１の検出領域である場合、予め設定された第１の期間、前記最後に検出された検出領域にて前記表示対象が検出されたとするよう前記位置情報を補正する請求項１に記載の情報処理装置。
【請求項３】
前記第１の検出領域は、前記表示対象の既定の検出領域である第２の検出領域を含み、
前記補正制御部は、
前記表示対象が最後に検出された前記検出領域が、前記第２の検出領域である場合、前記第１の期間より長い第２の期間、前記最後に検出された検出領域にて前記表示対象が検出されたとするよう前記位置情報を補正する請求項２に記載の情報処理装置。
【請求項４】
前記複数の検出領域は、他の検出領域を介さずに前記所定の領域とは異なる場所に移動できる１つ以上の第３の検出領域を含み、
前記補正制御部は、
前記表示対象が最後に検出された前記検出領域が、前記第３の検出領域である場合、前記最後に検出された検出領域にて前記表示対象が検出されたとするよう前記位置情報を補正する処理を中止する請求項１乃至３のいずれか一項に記載の情報処理装置。
【請求項５】
前記複数の検出領域は、他の検出領域を介さずに前記所定の領域とは異なる場所に移動できる１つ以上の第３の検出領域を含み、
前記補正制御部は、
前記表示対象が最後に検出された前記検出領域が、前記第３の検出領域である場合、前記第１の期間より短い第３の期間、前記最後に検出された検出領域にて前記表示対象が検出されたとするよう前記位置情報を補正する請求項２又は３に記載の情報処理装置。
【請求項６】
前記情報管理部が管理する情報は、前記表示対象の属性を示す情報を含み、
前記表示対象の属性に応じて、前記所定の期間が異なることを特徴とする請求項１乃至５のいずれか一項に記載の情報処理装置。
【請求項７】
前記施設は医療施設であり、
前記表示対象は、前記医療施設において医療の対象となる患者、前記医療施設に勤務する医療関係者、及び前記医療施設に備えられた機器のうち、いずれかの属性を有する請求項６に記載の情報処理装置。
【請求項８】
前記表示制御部は、
前記表示対象が、前記所定の領域で再び検出された場合、前記表示対象が検出されたことを判別できるように前記表示対象の情報を表示させる請求項１乃至７のいずれか一項に記載の情報処理装置。
【請求項９】
前記表示制御部は、
表示画面の所定の表示領域に、前記施設の前記所定の領域と異なる他の領域で検出された前記表示対象の位置に関する情報を一覧表示させる請求項１乃至８のいずれか一項に記載の情報処理装置。
【請求項１０】
施設内の所定の領域で検出される表示対象の情報を表示装置に表示させる情報処理システムであって、
前記所定の領域で検出され、端末識別情報を発信する無線端末を装着した前記表示対象の情報を管理する情報管理部と、
前記所定の領域に設置され、複数の測位装置から送信される前記端末識別情報及び前記測位装置の装置識別情報と前記測位装置が設置された設置場所の情報とから特定される、前記表示対象が検出された領域である検出領域を含む位置情報を管理する位置情報管理部と、
前記表示対象の前記位置情報が検出されなかった場合、前記表示対象が最後に検出された前記検出領域に応じて、所定の期間、前記最後に検出された検出領域にて前記表示対象が検出されたとするよう前記位置情報を補正する補正制御部と、
補正された検出領域を含む前記位置情報を用いて、前記表示対象の情報を前記表示装置に表示させる表示制御部と、
を有する情報処理システム。
【請求項１１】
施設内の所定の領域で検出される表示対象の情報を表示装置に表示させるコンピュータによる表示制御方法であって、
前記コンピュータが、
前記所定の領域で検出され、端末識別情報を発信する無線端末を装着した前記表示対象の情報を管理するステップと、
前記所定の領域に設置され、複数の測位装置から送信される前記端末識別情報及び前記測位装置の装置識別情報と前記測位装置が設置された設置場所の情報とから特定される、前記表示対象が検出された領域である検出領域を含む位置情報を管理するステップと、
前記表示対象の前記位置情報が検出されなかった場合、前記表示対象が最後に検出された前記検出領域に応じて、所定の期間、前記最後に検出された検出領域にて前記表示対象が検出されたとするよう前記位置情報を補正するステップと、
補正された検出領域を含む前記位置情報を用いて、前記表示対象の情報を前記表示装置に表示させるステップと、
を実行する表示制御方法。
【請求項１２】
請求項１１に記載の表示制御方法をコンピュータに実行させるためのプログラム。
【発明の詳細な説明】
【技術分野】
【０００１】
本発明は、情報処理装置、情報処理システム、表示制御方法、及びプログラムに関する。
【背景技術】
【０００２】
屋内や地下等の衛星による測位では正確な位置が測定できないような場所において、位置情報を提供する位置情報管理システムが知られている。
【０００３】
例えば、空間領域毎に異なる領域識別情報を重畳させた音信号を放音し、端末が収音した音信号から抽出した領域識別情報に基づいて、端末が位置する空間領域を示す位置情報を出力する位置情報管理システムが知られている（例えば、特許文献１参照）。
【０００４】
また、患者がＩＤ信号を発信する無線送信機を携行し、病院内に設置された無線受信機がＩＤ信号を受信して、所定の時間を経過してもＩＤ信号を受信しない場合に、患者不在情報を表示するナースコールシステムが知られている（例えば、特許文献２参照）。
【発明の概要】
【発明が解決しようとする課題】
【０００５】
上記のような位置情報管理システムから提供される位置情報を用いて、例えば、病院等の医療施設において、ナースステーションに設置された表示装置等に、フロア内の入院患者の現在位置を表示し、入院患者が今どこにいるのかを把握したいという要求がある。
【０００６】
例えば、ナースステーション等に設置された表示装置に、ナースステーションで管理しているフロアのフロアマップを表示し、フロアマップ上に、当該フロアに入院している入院患者の位置を表示させることにより、入院患者の所在を確認することが考えられる。
【０００７】
しかし、複数のフロアを有する医療施設では、入院患者は、自己が入院しているフロアとは異なるフロアに移動して、例えば、診療、面会、食事、休憩等を行っている場合がある。このような場合、他のフロアに移動している入院患者の位置を、ナースステーション等に設置された表示装置で把握することは困難である。
【０００８】
また、入院患者が装着した無線端末が発信する識別情報に基づいて入院患者の位置を管理するシステムでは、例えば、電波の状況等により、無線端末が発信する識別情報が検出されないとき、入院患者の位置を示す情報を、表示装置に表示させることは困難である。
【０００９】
このように、従来の技術では、例えば、病院等の施設において、患者等の表示対象に関する適切な情報を表示装置等に表示させることには困難を伴っていた。
【００１０】
本発明の実施の形態は、上記の問題点に鑑みてなされたものであって、病院等の施設において、患者等の表示対象に関する、より適切な情報を表示装置等に表示させる情報処理装置を提供することを目的とする。
【課題を解決するための手段】
【００１１】
上記課題を解決するため、本発明の一実施形態に係る情報処理装置は、施設内の所定の領域で検出される表示対象の情報を表示装置に表示させる情報処理装置であって、前記所定の領域で検出され、端末識別情報を発信する無線端末を装着した前記表示対象の情報を管理する情報管理部と、前記所定の領域に設置され、複数の測位装置から送信される前記端末識別情報及び前記測位装置の装置識別情報と前記測位装置が設置された設置場所の情報とから特定される、前記表示対象が検出された領域である検出領域を含む位置情報を管理する位置情報管理部と、前記表示対象の前記位置情報が検出されなかった場合、前記表示対象が最後に検出された前記検出領域に応じて、所定の期間、前記最後に検出された検出領域にて前記表示対象が検出されたとするよう前記位置情報を補正する補正制御部と、補正された検出領域を含む前記位置情報を用いて、前記表示対象の情報を前記表示装置に表示させる表示制御部と、を有する。
【発明の効果】
【００１２】
本発明の実施の形態によれば、病院等の施設において、患者等の表示対象に関する、より適切な情報を表示装置等に表示させる情報処理装置を提供することができる。
【図面の簡単な説明】
【００１３】
【図１】一実施形態に係る情報処理システムの構成例を示す図である。
【図２】一実施形態に係る表示装置の表示画面の一例を示す図である。
【図３】一実施形態に係るコンピュータのハードウェア構成例を示す図である。
【図４】一実施形態に係る無線タグのハードウェア構成例を示す図である。
【図５】一実施形態に係る検出装置のハードウェア構成例を示す図である。
【図６】一実施形態に係るゲートウェイのハードウェア構成例を示す図である。
【図７】一実施形態に係る情報処理システムの機能構成図である。
【図８】一実施形態に係る検出情報の例を示す図である。
【図９】一実施形態に係る患者情報、及び所属情報の例を示す図である。
【図１０】一実施形態に係るフロア情報、及び位置情報の例を示す図である。
【図１１】一実施形態に係る検出装置、及びゲートウェイの配置の一例を示す図である。
【図１２】一実施形態に係る特定情報の例を示す図である。
【図１３】一実施形態に係る情報処理装置の処理の流れを示すフローチャートである。
【図１４】一実施形態に係る情報処理システムの処理の例を示すシーケンス図である。
【図１５】第１の実施形態に係るレイアウト図を作成する処理の例を示すフローチャートである。
【図１６】第１の実施形態に係る他のフロアの表示領域を作成する処理の例を示すフローチャートである。
【図１７】第２の実施形態に係る他のフロアの表示領域の例を示す図である。
【図１８】第２の実施形態に係る他のフロアの表示領域を作成する処理の例を示すフローチャートである。
【図１９】第３の実施形態に係る他のフロアの患者の情報の表示例を示す図である。
【図２０】第３の実施形態に係るフロア情報の例を示す図である。
【図２１】第３の実施形態に係る他のフロアの表示領域を作成する処理の例を示すフローチャートである。
【図２２】第３の実施形態に係るベッドアイコンの表示処理の例を示すフローチャートである。
【図２３】第４の実施形態に係る情報処理装置の処理の流れを示すフローチャートである。
【図２４】第５の実施形態に係る表示装置の表示画面の一例を示す図である。
【図２５】第５の実施形態に係る表示装置の表示画面の別の一例を示す図である。
【図２６】第５の実施形態に係る配信先情報の例を示す図である。
【図２７】第６の実施形態に係る情報処理システムの機能構成図である。
【図２８】第６の実施形態に係る管理情報の例を示す図である。
【図２９】第６の実施形態に係る検出装置の配置の例を示す図である。
【図３０】第６の実施形態に係る補正情報の例を示す図である。
【図３１】第６の実施形態に係る表示装置の表示画面の例を示す図である。
【図３２】第６の実施形態に係る情報処理装置の表示処理の一例を示すフローチャートである。
【図３３】第６の実施形態に係る位置情報の補正処理の一例を示すフローチャートである。
【図３４】第６の実施形態に係る位置情報の履歴の一例を示す図である。
【図３５】第６の実施形態に係る補正を行わない場合の表示画面の例を示す図である。
【図３６】第６の実施形態に係る補正後の表示画面の一例を示す図である。
【図３７】第６の実施形態に係る位置情報の補正処理の別の一例を示すフローチャートである。
【図３８】第６の実施形態に係る位置情報の履歴の別の一例を示す図である。
【図３９】第６の実施形態に係る補正後の表示画面の別の一例を示す図である。
【図４０】第６の実施形態の変形例に係る補正後の表示画面の例を示す図である。
【発明を実施するための形態】
【００１４】
以下に、本発明の実施の形態について、添付の図面を参照して説明する。
【００１５】
＜システムの構成＞
初めに、本実施形態に係る情報処理システムの構成について説明する。
【００１６】
図１は一実施形態に係る情報処理システムの構成例を示す図である。情報処理システム１００は、複数の検出装置１０２、無線タグ１０３、１つ以上のゲートウェイ１０５、外部サーバ１０８、患者情報管理サーバ１０９、情報処理装置１１０、表示装置１１１、及び情報端末１１２等を含む。
【００１７】
図１の例では、１つ以上のゲートウェイ１０５、患者情報管理サーバ１０９、情報処理装置１１０、表示装置１１１、及び情報端末１１２等は、病院１０１内のＬＡＮ（Local Area Network）１０６等のネットワークに接続されている。また、外部サーバ１０８は、例えば、インターネット１０７等の外部のネットワークを介して、病院１０１内のＬＡＮ１０６に接続されている。なお、図１に示すネットワークの構成は一例である。例えば、外部サーバ１０８は、病院１０１内のＬＡＮ１０６に接続されていても良いし、情報処理装置１１０は、病院１０１の外部に設けられているもの等であっても良い。
【００１８】
病院１０１は、患者等を収容する医療施設の一例である。病院１０１は、例えば、介護施設、リハビリ施設等の病院１０１以外の施設であっても良い。
【００１９】
検出装置（測位装置）１０２は、複数のフロア（階層）を有する病院１０１内の天井等の互いに異なる位置に設置され、患者１０４が装着した無線タグ１０３が発信する無線タグ１０３の識別情報（以後、無線タグＩＤと呼ぶ）を検出する。また、検出装置１０２は、無線タグ１０３から発信される無線タグＩＤを検出すると、検出した無線タグＩＤと自装置の装置識別情報（以下、検出装置ＩＤと呼ぶ）とを含む検出情報を、ゲートウェイ１０５を介して外部サーバ１０８に送信する。なお、検出装置１０２が送信する検出情報には、検出装置ＩＤに代えて（又は加えて）、検出装置１０２が予め記憶した位置情報（座標情報等）が含まれていても良い。
【００２０】
好ましくは、検出装置１０２は、例えば、複数のフロアを有する病院１０１内にいる患者１０４が装着した無線タグ１０３が発信する無線タグＩＤを、基本的に全て受信できるように、病院１０１の各フロアの天井等に予め設置されている。なお、検出装置１０２の配置の例については後述する。
【００２１】
無線タグ（無線端末）１０３は、患者１０４が装着している（又は所持している）無線端末であり、例えば、所定の時間間隔（例えば３０秒間隔等）で自端末の識別情報である無線タグＩＤを送信する。
【００２２】
無線タグ１０３は、例えば、病院１０１に入院している患者１０４の手首等に装着されたリストバンド等に備えられたＲＦＩＤ（Radio Frequency Identifier）のアクティブタグ（又はセミアクティブタグ）等である。なお、ＲＦＩＤのアクティブタグは、無線タグ１０３の一例である。無線タグ１０３は、例えば、スマートウォッチ等のウェアラブル端末等であっても良い。
【００２３】
ゲートウェイ１０５は、複数の検出装置１０２と所定の無線通信により通信可能であり、また、ＬＡＮ１０６やインターネット１０７等のネットワークを介して、外部サーバ１０８と通信可能な中継装置である。ゲートウェイ１０５は、複数の検出装置１０２と、外部サーバ１０８との間のデータの送受信を中継し、必要に応じて通信プロトコルの変換等を行う。これにより、複数の検出装置１０２は、ゲートウェイ１０５を介して、外部サーバ１０８とデータの送受信が可能である。
【００２４】
外部サーバ（検出情報管理装置）１０８は、例えば、ＰＣ（Personal Computer）等の情報処理装置、又は複数の情報処理装置を含むシステムである。外部サーバ１０８は、複数の検出装置１０２から送信された無線タグＩＤと検出装置ＩＤ（又は位置情報）とを対応づけて検出情報１２１に記憶して、管理する。また、外部サーバ１０８は、例えば、情報処理装置１１０からの要求に応じて、１つ以上の無線タグ１０３の検出情報（例えば、無線タグＩＤと検出装置ＩＤの組合せ等）を、情報処理装置１１０に提供する。
【００２５】
患者情報管理サーバ（患者情報管理装置）１０９は、例えば、ＰＣ等の情報処理装置、又は複数の情報処理装置を含むシステムである。患者情報管理サーバ１０９は、病院１０１内に入院している患者の情報（例えば、装着している無線タグ１０３のタグＩＤ、名前、性別、所属フロア、所属病室、所属ベッド等）を、患者情報１２２に記憶して、管理する。
【００２６】
情報処理装置１１０は、複数のフロアを含む病院１０１のナースステーション等に設置された表示装置１１１等に、ナースステーションで管理しているフロアの入院患者の情報を表示させる。
【００２７】
情報処理装置１１０は、表示対象となるフロアのレイアウト図（配置図）を表示装置１１１に表示させて、当該フロアに所属する入院患者のうち、当該フロアで検出された患者の情報（例えば、現在位置等）をレイアウト図に表示させる。これにより、ナースステーションにいる医療関係者（例えば、看護師等）は、当該フロアに所属する入院患者のうち、当該フロアにいる患者の現在位置等の情報を把握することができるようになる。
【００２８】
ただし、これだけでは、当該フロアに所属している入院患者のうち、当該フロアとは異なる他のフロアに移動している入院患者の所在を把握することができない。
【００２９】
一方、ナースステーションでは、入院患者の安全管理措置の観点から、当該フロアに所属している入院患者が病院１０１内のどこにいるのか（又はいないのか）を把握する必要がある。ここで、例えば、ナースステーション等に設置された表示装置１１１に表示されているフロアを他のフロアに切替えて、他のフロアに移動している入院患者を確認する方法も考えられるが、複数の医療関係者で共用する表示画面を切替えることは望ましくない。
【００３０】
そこで、本実施形態に係る情報処理装置１１０は、当該フロアに所属している入院患者のうち、他のフロアに移動している入院患者の位置に関する情報を、フロアのレイアウト図とは異なる所定の表示領域に一覧表示させる。
【００３１】
図２は、一実施形態に係る表示装置の表示画面の一例を示す図である。図２には、一例として、病院１０１の３階（所定の領域の一例）のナースステーション等に設けられた表示装置１１１に表示される表示画面２００のイメージが示されている。
【００３２】
図２に示す表示画面２００には、病院１０１の３階のレイアウト図２１０、及び他のフロアに移動している入院患者の位置に関する情報を一覧表示するための所定の表示領域（以下、他のフロアの表示領域と呼ぶ）２２０等が含まれる。
【００３３】
また、表示装置１１１には、表示画面２００と共に、表示画面２００に表示される複数の表示要素（以下、アイコンと呼ぶ）の凡例２３０等が表示されるものであっても良い。
【００３４】
レイアウト図２１０には、表示対象となるフロアにある部屋や、通路等の配置が示されている。図２の例では、レイアウト図２１０には、複数の病室２１１、ナースステーション２１２、食堂２１３、階段２１４、トイレ２１５、洗面所、エレベータ（図中のＥＶ）、休憩室等の配置が示されている。
【００３５】
図２において、各病室２１１の上部に示される３桁の数字は、病室の番号を示している。病室３０１の内部には、例えば、病室３０１に設置されたベッドの位置に対応する４つのベッドアイコン２１６が表示されており、各ベッドアイコン２１６の上には、ベッドアイコンに対応するベッドを使用している患者の名前２１７が示されている。なお、ここでは、説明を容易にするため、患者の名前２１７を例えば、「患者１４」等で表記しているが、実際には、患者の名前等が表示されることが望ましい。
【００３６】
図２の例では、ベッドアイコン２１６は、入院患者が所属する病室内に在室しているか否かと、入院患者の性別を示している。例えば、凡例２３０に示すように、丸形で内部が斜線でハッチングされたベッドアイコン２３１は、入院患者が病室内に在室しており、性別が男性であることを示している。また、丸形で内部がハッチングされていないベッドアイコン２３２は、入院患者が病室内に在室しておらず、性別が男性であることを示している。
【００３７】
同様に、矩形で内部が斜線でハッチングされたベッドアイコン２３５は、入院患者が病室内に在室しており、性別が女性であることを示している。また、矩形で内部がハッチングされていないベッドアイコン２３６は、入院患者が病室内に在室しておらず、性別が女性であることを示している。なお、男性、女性を区別して表示する方法は一例であり、ベッドアイコン２１６は、入院患者が所属している病室内に在室しているか否かを示すものであっても良い。
【００３８】
また、丸形の破線のベッドアイコン２３４は、対応するベッドを入院患者が使用していないことを示す空き状態であることを示している。
【００３９】
このベッドアイコンにより、表示画面２００を見た医療関係者は、当該フロアに所属する入院患者が、所属する病室にいるか否かを容易に判断することができる。
【００４０】
また、レイアウト図２１０には、所属している病室内に在室していない入院患者が当該フロア内にいる場合、入院患者の位置を示す移動アイコン２１８と、移動アイコン２１８に対応する入院患者の名前が表示される。例えば、図２において、患者１８は、所属病室である病室３０２には在室しておらず、病室３１２の前にいることが示されている。
【００４１】
移動アイコン２１８は、入院患者が所属病室から移動していることを示すアイコンである。また、例えば、凡例２３０に示すように、内部が塗りつぶされた丸形の移動アイコン２４４は、入院患者の性別が男性であることを示している。また、内部が塗りつぶされた矩形の移動アイコン２３７は、入院患者の性別が女性であることを示している。
【００４２】
このように、表示画面２００に表示されるレイアウト図２１０には、当該フロアに所属する入院患者のうち、当該フロアで検出された入院患者の情報が表示されている。
【００４３】
他のフロアの表示領域２２０には、病院１０１内の他のフロア（例えば、１階、２階、４階、５階）で検出された入院患者の位置に関する情報が一覧表示されている。
【００４４】
図２の例では、他のフロアの表示領域２２０には、フロア毎の表示領域２２１〜２２４が設けられおり、１階の表示領域２２１には、１階で検出された入院患者の移動アイコンと患者名とが表示されている。同様に、２階の表示領域２２２には、２階で検出された入院患者の移動アイコンと患者名とが表示されている。また、４階の表示領域２２３には、４階で検出された入院患者の移動アイコンと患者名とが表示されている。さらに、５階の表示領域２２４は、５階で検出された入院患者の移動アイコンと患者名とが表示されている。
【００４５】
図２に示す他のフロアの表示領域２２０により、表示画面２００の見た医療関係者は、当該フロアにいない入院患者が、他のどのフロアにいるのかを認識することができるようになる。
【００４６】
また、表示画面２００には、例えば、食堂２１３等、複数の入院患者が集まる区域にいる入院患者の情報（例えば、移動アイコン、名前等）を表示する、他のフロアの表示領域２２０とは別の表示領域２４０が含まれていても良い。
【００４７】
さらに、表示画面２００には、病院１０１内の検出可能な範囲で検出されなかった未検知の入院患者の情報を表示する、他のフロアの表示領域２２０とは別の表示領域２５０が含まれていても良い。
【００４８】
図１に戻り、情報処理システム１００のシステム構成の説明を続ける。
【００４９】
表示装置１１１は、例えば、大型のディスプレイ、プロジェクタ、デジタルサイネージ等の表示装置である。表示装置１１１は、例えば、図２に示すような表示画面を、情報処理装置１１０から、例えば、画像データとして受信し、表示する。
【００５０】
情報端末１１２は、例えば、ＰＣ、タブレット端末、スマートフォン等の情報処理装置である。情報端末１１２は、例えば、図２に示すような表示画面を、情報処理装置１１０から受信し、情報処理装置１１０の表示部等に表示させる。なお、情報端末１１２は、表示装置の別の一例である。
【００５１】
上記の構成により、情報処理装置１１０は、例えば、患者情報管理サーバ１０９から、表示対象となるフロアに所属する入院患者の情報を取得し、当該フロアに所属する入院患者を特定する。
【００５２】
また、情報処理装置１１０は、特定した当該フロアに所属する入院患者の位置を特定するための検出情報を、外部サーバ１０８から取得し、当該フロアに所属する入院患者の位置を特定する。
【００５３】
さらに、情報処理装置１１０は、特定した入院患者の位置情報を用いて、例えば、図２に示すような表示画面２００を生成し、当該フロアに設けられた表示装置１１１（又は情報端末１１２、情報処理装置１１０等）に表示させる。
【００５４】
これにより、本実施形態によれば、複数の領域（フロア）を含む医療施設の表示装置１１１を用いて、所定の領域にいる患者の情報を所定の領域の配置図に表示しつつ、他の領域にいる患者の位置に関する情報を提供することができるようになる。
【００５５】
すなわち、本実施形態によれば、病院１０１等の施設において、患者等の表示対象に関する、より適切な情報を表示装置１１１等に表示させる情報処理装置を提供することができる。
【００５６】
＜ハードウェア構成＞
次に、各装置のハードウェア構成について説明する。
【００５７】
（コンピュータのハードウェア構成）
図１に示す外部サーバ１０８、患者情報管理サーバ１０９、情報処理装置１１０、表示装置１１１、及び情報端末１１２等は、一般的なコンピュータの構成を有している。ここでは、一般的なコンピュータのハードウェア構成例について説明を行う。
【００５８】
図３は、一実施形態に係るコンピュータのハードウェア構成例を示す図である。コンピュータ３００は、例えば、ＣＰＵ（Central Processing Unit）３０１、ＲＡＭ（Random Access Memory）３０２、ＲＯＭ（Read Only Memory）３０３、ストレージ部３０４、ネットワークＩ／Ｆ（Interface）部３０５、入力部３０６、表示部３０７、外部Ｉ／Ｆ部３０８、及びバス３０９等を有する。
【００５９】
ＣＰＵ３０１は、ＲＯＭ３０３やストレージ部３０４等に格納されたプログラムやデータをＲＡＭ３０２上に読み出し、処理を実行することで、コンピュータ３００の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持することができる不揮発性のメモリである。
【００６０】
ストレージ部３０４は、例えば、ＨＤＤ（Hard Disk Drive）や、ＳＳＤ（Solid State Drive）等の大容量記憶装置であり、ＯＳ（Operation System）、アプリケーションプログラム、各種のデータ等を記憶する。
【００６１】
ネットワークＩ／Ｆ部３０５は、コンピュータ３００をＬＡＮ１０６やインターネット１０７等のネットワークに接続するための通信インタフェースである。
【００６２】
入力部３０６は、マウス等のポインティングデバイスや、キーボード等の入力装置であり、コンピュータ３００に各操作信号を入力するのに用いられる。
【００６３】
表示部３０７はディスプレイ等の表示装置であり、コンピュータ３００による処理結果等を表示する。
【００６４】
外部Ｉ／Ｆ部３０８は、外部装置とのインタフェースである。外部装置には、例えば、記憶媒体３１０等が含まれる。コンピュータ３００は、例えば、記憶媒体３１０に所定のプログラムを格納し、この記憶媒体３１０に格納されたプログラムを外部Ｉ／Ｆ部３０８を介して、コンピュータ３００にインストールすることにより、所定のプログラムが実行可能となる。
【００６５】
バス３０９は、上記の各構成要素に接続され、アドレス信号、データ信号、及び各種制御信号等を伝送する。
【００６６】
なお、図４に示すコンピュータ３００のハードウェア構成は一例である。例えば、コンピュータ３００は、入力部３０６、表示部３０７等を外部に有していても良いし、入力部３０６及び表示部３０７は、例えば、タッチパネルディスプレイ等の一体型の表示入力部等であっても良い。
【００６７】
（無線タグのハードウェア構成）
図４は、一実施形態に係る無線タグのハードウェア構成例を示す図である。
【００６８】
図４（ａ）は、無線タグ１０３のハードウェア構成の例を示している。無線タグ１０３は、例えば、ＣＰＵ４０１、ＲＡＭ４０２、ＲＯＭ４０３、送信部４０４、及びバス４０５等を有する。
【００６９】
ＣＰＵ４０１は、ＲＯＭ４０３等に格納されたプログラムを実行することにより、無線タグ１０３の各機能を実現する演算装置である。ＲＡＭ４０２は、ＣＰＵ４０１のワークエリア等として用いられる揮発性のメモリである。ＲＯＭ４０３は、無線タグ１０３のプログラムや、無線タグＩＤ等を記憶する不揮発性のメモリである。ＲＯＭ４０３は、例えば、フラッシュＲＯＭ、ＥＥＰＲＯＭ（Electrically Erasable Programmable Read-Only Memory）等の書き換え可能な不揮発性メモリであっても良い。
【００７０】
送信部４０４は、例えば、ＲＦＩＤ等の所定の無線信号を送信する送信回路やアンテナ等を含む。所定の無線信号の例として、例えば、３１５ＭＨｚ帯の微弱無線を用いることができる。この場合、無線タグ１０３が発信する所定の無線信号の通信可能距離（到達距離）は、例えば、１０ｍ程度となる。
【００７１】
バス４０５は、上記の各構成要素に接続され、アドレス信号、データ信号、及び各種制御信号等を伝送する。
【００７２】
図４（ｂ）は、病院１０１に入院する患者１０４が手首等に装着するリストバンドのイメージを示している。図４（ｂ）の例では、リストバンド４１３は、患者を識別するための患者ＩＤ、患者の名前、生年月日等の情報４１１、バーコード４１２等が印字されており、病院１０１に入院する患者１０４の手首等に、留め具４１４を用いて装着される。患者１０４が病院１０１を退院する際には、例えば、リストバンド４１３をはさみ等で切断することにより、リストバンド４１３を患者の手首等から取り外す。
【００７３】
本実施形態では、患者１０４が装着する無線タグ１０３は、このリストバンド４１３等により、容易に取り外しができないように取り付けられているものとする。
【００７４】
なお、無線タグ１０３は、ＲＯＭ４０３に予め記憶されたタグＩＤを、所定の時間間隔（例えば３０秒間隔）で、送信部４０４を用いて継続的に送信するものとする。
【００７５】
（検出装置のハードウェア構成）
図５は、一実施形態に係る検出装置のハードウェア構成例を示す図である。検出装置１０２は、例えば、ＣＰＵ５０１、ＲＡＭ５０２、ＲＯＭ５０３、受信部５０４、無線通信部５０５、及びバス５０６等を有する。
【００７６】
ＣＰＵ５０１は、ＲＯＭ５０３等に格納されたプログラムを実行することにより、検出装置１０２の各機能を実現する演算装置である。ＲＡＭ５０２は、ＣＰＵ５０１のワークエリア等として用いられる揮発性のメモリである。ＲＯＭ５０３は、検出装置１０２のプログラムや、検出装置ＩＤ等を記憶する不揮発性のメモリである。ＲＯＭ５０３は、例えば、フラッシュＲＯＭ、ＥＥＰＲＯＭ等の書き換え可能な不揮発性のメモリであっても良い。
【００７７】
受信部５０４は、例えば、ＲＦＩＤ等の所定の無線方式の電波を受信する受信回路やアンテナ等を含む。
【００７８】
無線通信部５０５は、例えば、受信部５０４とは異なる無線通信方式により、ゲートウェイ１０５と無線通信を行う送受信回路やアンテナ等を含む。無線通信部５０５は、例えば、無線ＬＡＮ、Ｚｉｇｂｅｅ（登録商標）、又は、９２０ＭＨｚ帯の特定省電力無線（IEEE802.15.4g）等を用いて、ゲートウェイ１０５と通信することができる。
【００７９】
バス５０６は、上記の各構成要素に接続され、アドレス信号、データ信号、及び各種制御信号等を伝送する。
【００８０】
（ゲートウェイのハードウェア構成）
図６は、一実施形態に係るゲートウェイのハードウェア構成例を示す図である。ゲートウェイ１０５は、例えば、ＣＰＵ６０１、ＲＡＭ６０２、ＲＯＭ６０３、無線通信部６０４、ネットワークＩ／Ｆ部６０５、及びバス６０６等を有する。
【００８１】
ＣＰＵ６０１は、ＲＯＭ６０３等に格納されたプログラムを実行することにより、ゲートウェイ１０５の各機能を実現する演算装置である。ＲＡＭ６０２は、ＣＰＵ６０１のワークエリア等として用いられる揮発性のメモリである。ＲＯＭ６０３は、ゲートウェイ１０５のプログラム等を記憶する不揮発性のメモリである。ＲＯＭ６０３は、例えば、フラッシュＲＯＭ、ＥＥＰＲＯＭ等の書き換え可能な不揮発性メモリであっても良い。
【００８２】
無線通信部６０４は、例えば、前述した検出装置１０２の無線通信部５０５と同じ無線通信方式により無線通信を行う無線回路やアンテナ等を含む。
【００８３】
病院１０１内には、無線通信部６０４の無線通信方式に応じて、各フロアに設置された検出装置１０２と通信を行うために必要な数のゲートウェイ１０５が設置されているものとする。
【００８４】
ネットワークＩ／Ｆ部６０５は、ゲートウェイ１０５をＬＡＮ１０６等のネットワークに接続するための通信インタフェースである。
【００８５】
バス６０６は、上記の各構成要素に接続され、アドレス信号、データ信号、及び各種制御信号等を伝送する。
【００８６】
＜機能構成＞
図７は、一実施形態に係る情報処理システムの機能構成図である。図７に示す情報処理システム１００は、図１に示す情報処理システム１００に対応している。
【００８７】
（外部サーバの機能構成）
外部サーバ１０８は、通信部７３１、検出情報管理部７３２等を有する。
【００８８】
通信部７３１は、外部サーバ１０８をインターネット１０７等のネットワークに接続し、ゲートウェイ１０５や、情報処理装置１１０等と通信を行うための手段である。通信部７３１は、例えば、図３のネットワークＩ／Ｆ部３０５、及び図３のＣＰＵ３０１で実行されるプログラム等によって実現される。
【００８９】
検出情報管理部７３２は、複数の検出装置１０２から通知される無線タグＩＤと検出装置ＩＤとを含む検出情報を、ゲートウェイ１０５を介して受信し、検出情報１２１に記憶して、管理する。検出情報管理部７３２は、例えば、図３のＣＰＵ４０１で実行されるプログラムによって実現される。
【００９０】
図８は、一実施形態に係る検出情報の例を示す図である。図８（ａ）は、外部サーバ１０８が管理する検出情報の一例を示している。
【００９１】
検出装置１０２は、例えば、新たな無線タグＩＤを含む電波を受信した場合、受信した電波に含まれる無線タグＩＤと、検出装置１０２の検出装置ＩＤとを含む検出情報を、外部サーバ１０８に送信する。また、検出装置１０２は、例えば、新たな無線タグＩＤを含む電波を受信しない場合でも、所定の時間間隔（例えば、５分毎）に、検出済の無線タグＩＤと、検出装置１０２の検出装置ＩＤとを含む検出情報を、外部サーバ１０８に送信する。
【００９２】
外部サーバ１０８の検出情報管理部７３２は、複数の検出装置１０２から受信した検出情報を、例えば、図８（ａ）に示すような検出情報１２１に記憶する。検出情報１２１には、例えば、無線タグＩＤ毎に、無線タグＩＤを検出した検出装置１０２の検出装置ＩＤと無線タグＩＤが検出された検出時刻とが対応づけて記憶されている。また、外部サーバ１０８が、２４時間以上に亘って検出情報を記憶する場合、検出情報１２１には日付の情報等も含まれる。
【００９３】
外部サーバ１０８の検出情報管理部７３２は、情報処理装置１１０等からの要求に応じて、例えば、図８（ａ）に示されるような検出情報１２１の少なくとも一部を、情報処理装置１１０等に提供する。
【００９４】
図８（ｂ）には、外部サーバ１０８の検出情報管理部７３２が、情報処理装置１１０等からの要求に応じて提供する検出情報の一例が示されている。検出情報管理部７３２は、情報処理装置１１０等から受信した検出情報の取得要求を受信すると、取得要求に含まれる無線タグＩＤと、当該無線タグＩＤを所定の時間内に検出した検出装置１０２の検出装置ＩＤとを、要求元の情報処理装置１１０に送信する。
【００９５】
（患者情報管理サーバの機能構成）
患者情報管理サーバ１０９は、通信部７４１、患者情報管理部７４２等を有する。
【００９６】
通信部７４１は、患者情報管理サーバ１０９をＬＡＮ１０６等のネットワークに接続し、情報処理装置１１０等と通信を行うための手段である。通信部７４１は、例えば、図３のネットワークＩ／Ｆ部３０５、及び図３のＣＰＵ３０１で実行されるプログラム等によって実現される。
【００９７】
患者情報管理部７４２は、病院１０１に入院する患者１０４の情報を、患者情報１２２に記憶して、管理する手段であり、例えば、図３のＣＰＵ３０１で実行されるプログラムによって実現される。
【００９８】
患者情報管理サーバ１０９が管理する患者情報１２２の一例を図９（ａ）に示す。図９（ａ）の例では、患者情報１２２には、患者ＩＤ、無線タグＩＤ、患者名、性別、生年月日、診療科、カルテ情報、所属フロア、所属病室、及び所属ベッド等の情報が含まれる。
【００９９】
「患者ＩＤ」は、患者を識別するための識別情報である。「無線タグＩＤ」は、患者が手首等に装着している無線タグ１０３の無線タグＩＤである。「患者名」は、患者の名前である。「生年月日」は、患者の生年月日である。「診療科」は、患者が入院している診療科の情報である。「カルテ情報」は、患者のカルテを参照するためのＵＲＬ（Uniform Resource Locator）等の参照情報（リンク情報）等である。
【０１００】
「所属フロア」は、患者が入院しているフロアである所属フロアを示す情報（例えば、階数等）である。「所属病室」は、患者が入院している病室である所属病室を示す情報（例えば、病室番号等）である。「所属ベッド」は、患者が使用しているベッドを示す情報（例えば、ベッド番号等）である。
【０１０１】
患者情報管理部７４２は、情報処理装置１１０等からの要求に応じて、例えば、図９（ａ）に示すような患者情報１２２の少なくとも一部を情報処理装置１１０に提供する。
【０１０２】
（情報処理装置の機能構成）
情報処理装置１１０は、通信部７１１、所属情報管理部７１２、位置情報管理部７１３、特定部７１４、表示制御部７１５、操作受付部７１６、及び記憶部７１７等を有する。
【０１０３】
通信部７１１は、情報処理装置１１０を、ＬＡＮ１０６等のネットワークに接続し、外部サーバ１０８、患者情報管理サーバ１０９、表示装置１１１、及び情報端末１１２等と通信を行うための手段である。通信部７１１は、例えば、図３のネットワークＩ／Ｆ部３０５、及び図３のＣＰＵ３０１で実行されるプログラム等によって実現される。
【０１０４】
所属情報管理部７１２は、表示対象となるフロア（所定の領域）に入院（所属）し、無線タグＩＤ（端末識別情報）を発信する無線タグ（無線端末）１０３を装着した患者１０４の情報を管理する。所属情報管理部７１２は、例えば、図３のＣＰＵ３０１で実行されるプログラムによって実現される。
【０１０５】
所属情報管理部７１２は、患者情報管理サーバ１０９から、例えば、図９（ｂ）に示すような所属情報７２１を取得して、記憶部７１７に記憶する。図９（ｂ）の例では、所属情報７２１には、所属フロアが３階（表示対象となるフロアの一例）の患者の無線タグＩＤ、患者名、性別、所属フロア、所属病室、所属ベッド等の情報が含まれている。
【０１０６】
好ましくは、所属情報７２１は、例えば、患者情報管理サーバ１０９が管理する患者情報１２２のうち、利用しない情報、例えば、生年月日、診療科、カルテ情報等が除外されている。
【０１０７】
図７に戻り、情報処理装置の機能構成の説明を続ける。
【０１０８】
位置情報管理部７１３は、表示対象となるフロア（所定の領域）に入院（所属）している患者１０４が装着した無線タグ１０３が検出された位置を示す位置情報を管理する手段であり、例えば、図３のＣＰＵ３０１で実行されるプログラムによって実現される。
【０１０９】
位置情報管理部７１３は、例えば、図９（ｂ）に示されるような所属情報７２１に含まれる無線タグＩＤを用いて、外部サーバ１０８に、図８（ｂ）に示されるような検出情報の取得を要求する。
【０１１０】
また、位置情報管理部７１３は、外部サーバ１０８から取得した検出情報と、記憶部７１７に予め記憶したフロア情報７２３とを用いて、無線タグ１０３が検出された位置を示す位置情報７２２を作成する。
【０１１１】
図１０は、一実施形態に係るフロア情報、及び位置情報の例を示す図である。
【０１１２】
図１０（ａ）は、情報処理装置１１０が、予め記憶したフロア情報の一例を示している。図１０（ａ）の例では、フロア情報７２３には、「フロア名」、「検出装置ＩＤ」、「エリア名」、「座標情報」、及び「配置図」等の情報が含まれている。
【０１１３】
「フロア名」は、複数のフロアを含む病院１０１におけるフロアの名前である。なお、フロア名は、フロアを識別する識別情報であるフロアＩＤ等であっても良い。
【０１１４】
「検出装置ＩＤ」は、「フロア名」に対応するフロアに設置された検出装置１０２の検出装置ＩＤである。
【０１１５】
「エリア名」は、表示対象となるフロアにある部屋や、通路等の名前である。
【０１１６】
「配置図」は、例えば、図２に示されるようなレイアウト図２１０のひな形（テンプレート）となる配置図の画像データ、又は配置図の画像データを取得するためのＵＲＬ等の参照情報である。
【０１１７】
ここでは、記憶部７１７のフロア情報７２３に各フロアの配置図の画像データが含まれており、「配置図」の参照情報を用いて、表示対象となるフロアの配置図の画像データを取得することができるものとする。
【０１１８】
「座標情報」は、表示対象となるフロアに設置された各検出装置１０２の設置場所を示す情報であり、例えば、配置図上の座標等で表される。また、別の一例として、「座標情報」は、緯度、経度、高度（又は階数）等の３次元の座標等であっても良い。
【０１１９】
図１１は、一実施形態に係る検出装置、及びゲートウェイの配置の一例を示す図である。図１１には、病院１０１の３階における複数の検出装置１０２、及び複数のゲートウェイ（ＧＷ）１０５の配置の一例が示されている。
【０１２０】
図１１の例では、病院１０１の３階の各部屋には、１台以上の検出装置１０２が設置されており、通路には、例えば、間隔を空けて複数の検出装置が設置されている。これにより、無線タグ１０３を装着した患者１０４が、３階のフロアのどこにいても、いずれかの検出装置１０２に、無線タグ１０３が発信する無線タグＩＤが検出されるようになっている。他のフロアについても同様である。
【０１２１】
図１１の例では、検出装置１０２−１１〜１０２−１９は、ゲートウェイ１０５−１と第１の周波数で無線ＰＡＮ（Personal Area Network）を形成しており、検出した無線タグＩＤを、ゲートウェイ１０５−１を介して、外部サーバ１０８に送信する。また、検出装置１０２−２１〜１０２−１７は、ゲートウェイ１０５−２と、第１の周波数とは異なる第２の周波数で無線ＰＡＮを形成しており、検出した無線タグＩＤを、ゲートウェイ１０５−２を介して、外部サーバ１０８に送信する。さらに、検出装置１０２−３１〜１０２−４０は、ゲートウェイ１０５−３と、第２の周波数とは異なる第３の周波数で無線ＰＡＮを形成しており、検出したタグＩＤを、ゲートウェイ１０５−３を介して、外部サーバ１０８に送信する。
【０１２２】
上記の構成により、位置情報管理部７１３は、外部サーバ１０８から取得した検出情報と、予め記憶したフロア情報７２３とを用いて、無線タグ１０３が病院１０１内のどこで検出されたから管理することができる。例えば、位置情報管理部７１３は、外部サーバ１０８から取得した検出情報と、予め記憶したフロア情報７２３とを用いて、図１０（ｂ）に示すような位置情報７２２を管理する。
【０１２３】
図１０（ｂ）は、位置情報管理部７１３が管理する位置情報７２２の一例を示している。図１０（ｂ）の例では、位置情報７２２には、「フロア名」、「無線タグＩＤ」、「検出ＩＤ」、「エリア名」等の情報が含まれている。
【０１２４】
このうち、「無線タグＩＤ」、及び「検出装置ＩＤ」は、外部サーバ１０８から取得した、例えば、図８（ｂ）に示すような検出情報に含まれている無線タグＩＤ、及び検出装置ＩＤに対応している。また、「フロア名」、及び「エリア名」は、検出情報に含まれている検出装置ＩＤを用いて、例えば、図１０（ａ）に示すフロア情報７２３から取得した情報である。
【０１２５】
位置情報管理部７１３は、この位置情報７２２を用いて、患者１０４が装着した無線タグ１０３が検出された位置を管理することができる。
【０１２６】
図７に戻り、情報処理装置１１０の機能構成の説明を続ける。
【０１２７】
特定部７１４は、所属情報管理部７１２が管理する所属情報７２１と、位置情報管理部７１３が管理する位置情報７２２との対応関係に基づいて、表示対象となるフロアに所属する患者１０４のうち、当該フロアで検出された患者１０４と、当該フロアとは異なる他のフロアで検出された患者１０４とを特定する。特定部７１４は、例えば、図３のＣＰＵ３０１で実行されるプログラムによって実現される。
【０１２８】
例えば、特定部７１４は、図９（ｂ）に示すような所属情報７２１と、図１０（ｂ）に示すような位置情報７２２とを、無線タグＩＤに基づいて対応づけて、図１２に示すような特定情報７２４を作成する。
【０１２９】
図９（ｂ）の例では、特定情報７２４には、「フロア名」、「無線タグＩＤ」、「検出装置ＩＤ」、「エリア名」、「患者名」、「性別」、「所属フロア」、「所属病室」、「座標情報」等の情報が含まれる。このうち、「無線タグＩＤ」は、所属情報７２１と位置情報７２２とに共通に含まれる情報である。また、「検出装置ＩＤ」、「エリア名」は、位置情報７２２から取得した情報である、「患者名」、「性別」、「所属フロア」、「所属病室」、及び「所属ベッド」は、所属情報７２１から取得した情報である。
【０１３０】
この特定情報７２４により、特定部７１４は、表示対象となるフロアに所属する、無線タグ１０３を装着した患者１０４の各々が、病院１０１内のどこで検出されたのかを特定することができるようになる。
【０１３１】
再び、図７に戻り、情報処理装置１１０の機能構成の説明をさらに続ける。
【０１３２】
表示制御部７１５は、特定部７１４が特定した特定情報７２４と、予め記憶したフロア情報７２３とを用いて、例えば、図２に示す表示画面２００におけるレイアウト図２１０に、表示対象となるフロアで検出された患者１０４の情報を表示させる。また、表示制御部７１５は、特定情報７２４を用いて、例えば、図２に示す表示画面２００における他のフロアの表示領域２２０に、他のフロアで検出された患者１０４の位置に関する情報を、一覧表示させる。なお、表示制御部７１５による具体的な表示制御方法については、後述する。
【０１３３】
操作受付部７１６は、例えば、図３の入力部３０６等を用いて利用者の入力操作を受け付ける手段であり、例えば、図３のＣＰＵ３０１で実行されるプログラム等によって実現される。
【０１３４】
記憶部７１７は、所属情報７２１、位置情報７２２、フロア情報７２３、特定情報７２４、及び配信先情報７２５等の各種の情報を記憶する。記憶部７１７は、例えば、図３のストレージ部３０４、ＲＡＭ３０２、及び図３のＣＰＵ３０１で実行されるプログラム等によって実現される。
【０１３５】
記憶部７１７に記憶された配信先情報７２５には、例えば、表示制御部７１５が表示画面２００を表示させる表示装置１１１、情報端末１１２等の配信先のＩＰアドレス等が記憶されている。
【０１３６】
なお、図７に示す情報処理システム１００の構成は一例であり、本発明の範囲を限定するものではない。
【０１３７】
例えば、図７において、外部サーバ１０８が有する機能は、情報処理装置１１０の位置情報管理部７１３等に含まれていても良い。或いは、図７において、位置情報管理部７１３の機能は外部サーバ１０８が有していても良い。この場合、特定部７１４は、記憶部７１７に記憶された位置情報７２２に代えて、外部サーバ１０８が管理する位置情報７２２を取得して、利用すれば良い。
【０１３８】
同様に、図７において、患者情報管理サーバ１０９が有する機能は、情報処理装置１１０の所属情報管理部７１２等に含まれていても良い。或いは、図７において、所属情報管理部７１２の機能は、患者情報管理サーバ１０９が有していても良い。この場合、特定部７１４は、記憶部７１７に記憶された所属情報７２１に代えて、患者情報管理サーバ１０９が管理する所属情報７２１を取得して、利用すれば良い。
【０１３９】
また、表示制御部７１５が表示させる表示画面２００は、表示装置１１１以外の情報端末１１２（表示装置の別の一例）や、情報処理装置１１０の表示部３０７等に表示させるものであっても良い。
【０１４０】
さらに、情報処理装置１１０は、例えば、ノートＰＣや、タブレット端末等の情報端末等であっても良い。
【０１４１】
＜処理の流れ＞
続いて、本実施形態に係る情報処理システム１００による表示制御方法の処理の流れについて説明する。
【０１４２】
（情報処理装置の処理）
図１３は、一実施形態に係る情報処理装置の処理の流れを示すフローチャートである。
【０１４３】
ステップＳ１３０１において、所属情報管理部７１２は、表示対象となるフロアに所属する患者１０４の所属情報を作成し、記憶部７１７に記憶する。例えば、所属情報管理部７１２は、患者情報管理サーバ１０９から、表示対象となるフロアに所属する患者１０４の患者情報を取得し、取得した患者情報を用いて、例えば、図９（ｂ）に示すような所属情報７２１を作成する。
【０１４４】
ステップＳ１３０２において、位置情報管理部７１３は、表示対象となるフロアに所属する患者１０４が装着した無線タグ１０３の検出情報を取得する。例えば、位置情報管理部７１３は、所属情報７２１に含まれる無線タグＩＤに対応する検出情報を、外部サーバ１０８から取得する。或いは、位置情報管理部７１３は、病院１０１に入院している全ての患者１０４の検出情報を外部サーバ１０８から取得し、必要な検出情報を利用するもの等であっても良い。
【０１４５】
ステップＳ１３０３において、位置情報管理部７１３は、取得した検出情報と、予め記憶したフロア情報７２３とから、表示対象となるフロアに所属する患者１０４が装着した無線タグ１０３の位置を示す位置情報７２２を作成し、記憶部７１７に記憶する。例えば、位置情報管理部７１３は、図８（ｂ）に示すような検出情報と、図１０（ａ）に示すようなフロア情報７２３とを用いて、図１０（ｂ）に示すような位置情報７２２を作成して、記憶部７１７に記憶する。
【０１４６】
ステップＳ１３０４において、特定部７１４は、所属情報７２１と、位置情報７２２との対応関係から、表示対象となるフロアに所属する患者１０４のうち、当該フロアで検出された患者１０４と、他のフロアで検出された患者を特定する。例えば、特定部７１４は、記憶部７１７に記憶された所属情報７２１と位置情報７２２とを対応づけて、図１２に示すような特定情報７２４を作成し、記憶部７１７に記憶する。
【０１４７】
ステップＳ１３０５において、表示制御部７１５は、表示画面２００に表示する表示対象となるフロアのレイアウト図２１０に、当該フロアに所属する患者１０４のうち、当該フロアで検出された患者１０４の情報を表示させる。なお、具体的な表示制御方法については、複数の実施形態を示して後述する。
【０１４８】
ステップＳ１３０６において、表示制御部７１５は、表示画面２００に表示する他のフロアの表示領域２２０に、当該フロアに所属する患者１０４のうち、当該フロアとは異なる他のフロアで検出された患者１０４の位置に関する情報を一覧表示させる。なお、具体的な表示制御方法については、複数の実施形態を示して後述する。
【０１４９】
上記の処理により、情報処理装置１１０は、例えば、図に示すような表示画面２００を、表示装置（例えば、表示装置１１１、情報端末１１２、又は情報処理装置１１０等の表示部３０７等）に表示させることができる。
【０１５０】
（情報処理システムの処理）
図１４は、一実施形態に係る情報処理システムの処理の例を示すシーケンス図である。図１４に示す処理は、表示対象となるフロアのナースステーション等に設置された表示装置１１１に、例えば、図２に示すような表示画面２００を表示させる処理の例を示している。
【０１５１】
ステップＳ１４０１において、情報処理装置１１０の所属情報管理部７１２は、患者情報の取得を要求する患者情報の取得要求を、患者情報管理サーバ１０９に送信する。この患者情報の取得要求には、例えば、表示対象となるフロア情報（例えば、所属フロア）が含まれる。
【０１５２】
ステップＳ１４０２において、情報処理装置１１０の所属情報管理部７１２は、患者情報管理サーバ１０９から、フロア情報に対応する患者情報を受信する。
【０１５３】
ステップＳ１４０３において、所属情報管理部７１２は、患者情報管理サーバ１０９から取得した患者情報を用いて、例えば、図９（ｂ）に示すような所属情報７２１を作成し、記憶部７１７に記憶する。
【０１５４】
ステップＳ１４０４において、情報処理装置１１０の位置情報管理部７１３は、検出情報の取得を要求する検出情報の取得要求を、外部サーバ１０８に送信する。この検出情報の取得要求には、例えば、所属情報７２１に記憶された、表示対象となるフロアに所属する患者１０４が装着した無線タグ１０３の無線タグＩＤが含まれる。
【０１５５】
ステップＳ１４０５において、情報処理装置１１０の位置情報管理部７１３は、ステップＳ１４０４で送信した検出情報の取得要求に含まれる無線タグＩＤに対応する、例えば、図８（ｂ）に示すような検出情報を取得する。
【０１５６】
ステップＳ１４０６において、情報処理装置１１０の位置情報管理部７１３は、取得した検出情報と、予め記憶したフロア情報７２３とを用いて、例えば、図１０（ｂ）に示すような位置情報７２２を作成し、記憶部７１７に記憶する。
【０１５７】
ステップＳ１４０７において、情報処理装置１１０の特定部７１４は、所属情報管理部７１２が記憶した所属情報７２１と、位置情報管理部７１３が記憶した位置情報７２２とを対応づけて、例えば、図１２に示すような特定情報７２４を作成する。これにより、特定部７１４は、各フロアで検出された患者を特定することができる。
【０１５８】
ステップＳ１４０８において、情報処理装置１１０の表示制御部７１５は、当該フロアで検出された情報を含む、例えば、図２に示すようなレイアウト図２１０を作成する。
【０１５９】
ステップＳ１４０９において、情報処理装置１１０の表示制御部７１５は、他のフロアで検出された患者の位置に関する情報を含む、例えば、図２に示すような他のフロアの表示領域２２０を作成する。
【０１６０】
ステップＳ１４１０において、情報処理装置１１０の表示制御部７１５は、作成したレイアウト図２１０、及び他のフロアの表示領域２２０を含む、例えば、図２に示すような表示画面２００を表示装置１１１に送信する。例えば、表示制御部７１５は、通信部７１１を用いて、例えば、配信先情報７２５に予め記憶した表示装置１１１の宛先（ＩＰアドレス等）に、表示画面２００を送信し、表示させる。
【０１６１】
ステップＳ１４１１において、表示装置１１１は、情報処理装置１１０から受信した、例えば、図２に示すような表示画面２００を、表示部３０７に表示する。
【０１６２】
上記の処理により、情報処理装置１１０は、例えば、図に示すような表示画面２００を、表示装置１１１に表示させることができる。
【０１６３】
続いて、具体的なレイアウト図２１０、及び他のフロアの表示領域２２０等の作成処理について、複数の実施形態を示して説明する。
【０１６４】
［第１の実施形態］
（レイアウト図の作成処理）
図１５は、第１の実施形態に係るレイアウト図を作成する処理の例を示すフローチャートである。この処理は、例えば、図１３のステップＳ１３０５、及び図１４のステップＳ１４０８において、表示画面２００のレイアウト図２１０を作成する処理の例を示している。
【０１６５】
ステップＳ１５０１において、情報処理装置１１０の表示制御部７１５は、例えば、図１０（ａ）に示すようなフロア情報７２３の配置図に示されるリンク先から、表示対象となるフロアの配置図の画像データを取得する。なお、この配置図の画像データには、例えば、図２に示すレイアウト図２１０に示される各部屋、通路、及びベッドアイコンの配置や、各部屋の名前等が予め含まれているものとする。
【０１６６】
続いて、表示制御部７１５は、表示対象となるフロアで検出された患者１０４の各々について、ステップＳ１５０３〜１５０７に示す患者の情報の表示処理を実行する。
【０１６７】
例えば、ステップＳ１５０２において、変数Ｎを１に初期化する。
【０１６８】
ステップＳ１５０３において、表示制御部７１５は、例えば、図１２に示すような特定情報７２４から、Ｎ番目の患者の位置（エリア名、検出装置ＩＤ等）、患者名、性別、所属病室、及び所属ベッド等の情報を取得する。
【０１６９】
ステップＳ１５０４において、表示制御部７１５は、取得した情報を用いて、Ｎ番目の患者が所属病室で検出されたか否かを判断する。例えば、表示制御部７１５は、Ｎ番目の患者が検出された位置（エリア名）が、所属病室の病室番号と一致する場合、Ｎ番目の患者が所属病室で検出されたと判断することができる。
【０１７０】
Ｎ番目の患者が所属病室で検出された場合、表示制御部７１５は、処理をステップＳ１５０５に移行させる。一方、Ｎ番目の患者が所属病室で検出されない場合、表示制御部７１５は、処理をステップＳ１５０６に移行させる。
【０１７１】
ステップＳ１５０５に移行すると、表示制御部７１５は、Ｎ番目の患者のベッド番号に基づいて、Ｎ番目の患者のベッドアイコンを、例えば、図２の凡例２３０に示すような、性別に応じた「在室」アイコンとし、ベッドアイコンの上に患者名を表示する。
【０１７２】
ステップＳ１５０６に移行すると、表示制御部７１５は、Ｎ番目の患者のベッド番号に基づいて、Ｎ番目の患者のベッドアイコンを、例えば、図２の凡例２３０に示すような、性別に応じた「不在」アイコンとし、ベッドアイコンの上に患者名を表示する。
【０１７３】
ステップＳ１５０７において、表示制御部７１５は、Ｎ番目の患者が検出された位置に、図２の凡例２３０に示すような、患者の性別に応じた移動アイコンと、患者名を表示する。例えば、表示制御部７１５は、Ｎ番目の患者を検出した検出装置１０２検出装置ＩＤに対応する、配置図上の座標情報をフロア情報７２３から取得し、取得した座標の近傍に移動アイコンと患者名とを表示する。
【０１７４】
ステップ１５０８において、表示制御部７１５は、Ｎの値が、表示対象となるフロアで検出された患者の数であるＮｍａｘに達したか否かを判断する。
【０１７５】
例えば、Ｎの値がＮｍａｘ未満の場合、表示制御部７１５は、ステップＳ１５０９において、Ｎに１を加算して、ステップＳ１５０３〜Ｓ１５０７の処理を繰り返し実行する。
【０１７６】
一方、Ｎの値がＮ以上の場合、表示制御部７１５は、処理を終了する。
【０１７７】
上記の処理により、情報処理装置１１０の表示制御部７１５は、例えば、図２の表示画面２００に含まれるレイアウト図２１０を作成することができる。
【０１７８】
（他のフロアの表示領域の作成処理）
図１６は、第１の実施形態に係る他のフロアの表示領域を作成する処理の例を示すフローチャートである。この処理は、例えば、図１３のステップＳ１３０６、及び図１４のステップＳ１４０９において、図２に示す表示画面２００に含まれる他のフロアの表示領域２２０を作成する処理の例を示している。
【０１７９】
情報処理装置１１０の表示制御部７１５は、表示対象となるフロアとは異なる他のフロアで検出された患者１０４の各々について、ステップＳ１６０２〜１６０４に示す患者の位置に関する情報の表示処理を実行する。
【０１８０】
例えば、ステップＳ１６０１において、変数Ｍを１に初期化する。
【０１８１】
ステップＳ１６０２において、表示制御部７１５は、例えば、図１２に示すような特定情報７２４から、Ｍ番目の患者が検出されたフロア名、患者名、性別、及び所属ベッド等の情報を取得する。
【０１８２】
ステップＳ１６０３において、表示制御部７１５は、Ｍ番目の患者のベッド番号に基づいて、Ｍ番目の患者のベッドアイコンを、性別に応じた「不在」アイコンとし、ベッドアイコンの上に患者名を表示する。
【０１８３】
ステップＳ１６０４において、表示制御部７１５は、他のフロアの表示領域２２０内のＭ番目の患者が検出されたフロア名に対応する表示領域に、患者の性別に応じた移動アイコンと、患者名を表示する。
【０１８４】
図２に示す表示画面２００の他の領域の表示領域２２０には、１階に対応する表示領域２２１、２階に対応する表示領域２２２、４階に対応する表示領域２２３、５階に対応する表示領域２２４が含まれている。表示制御部７１５は、例えば、Ｍ番目の患者が検出されたフロア名が「１階」である場合、１階に対応する表示領域２２１に、Ｍ番目の患者の性別に応じた移動アイコンと、患者名を表示する。
【０１８５】
ステップＳ１６０５において、表示制御部７１５は、Ｍの値が、他のフロアで検出された患者の数であるＭｍａｘに達したか否かを判断する。
【０１８６】
例えば、Ｍの値がＭｍａｘ未満の場合、表示制御部７１５は、ステップＳ１６０６において、Ｍに１を加算して、ステップＳ１６０２〜Ｓ１６０４の処理を繰り返し実行する。
【０１８７】
一方、Ｍの値がＭ以上の場合、表示制御部７１５は、処理を終了する。
【０１８８】
上記の処理により、情報処理装置１１０の表示制御部７１５は、例えば、図２の表示画面２００に含まれる他のフロアの表示領域２２０を作成することができる。
【０１８９】
以上、本実施形態に係る情報処理システム１００によれば、複数の領域を含む医療施設の表示装置を用いて、所定の領域にいる患者の情報を配置図に表示しつつ、他の領域にいる患者の位置に関する情報を提供することができるようになる。
【０１９０】
［第２の実施形態］
第１の実施形態では、例えば、図２に示す表示画面２００の他のフロアの表示領域２２０に、他のフロア毎の表示領域２２１〜２２４が設けられていた。この表示方法により、表示画面２００を見た医療関係者は、表示対象となるフロアに所属する患者１０４のうち、他のフロアにいる患者１０４を容易に認識することができるようになる。
【０１９１】
第２の実施形態では、他のフロアの表示領域２２０の表示方法の別の一例について説明する。
【０１９２】
図１７は、第２の実施形態に係る他のフロアの表示領域の例を示す図である。
【０１９３】
図１７（ａ）は、第２の実施形態に係る他のフロアの表示領域２２０の一例が示されている。図１７（ａ）の例では、例えば、図２に示す他のフロアの表示領域２２０に含まれていたフロア毎の表示領域２２１〜２２４をなくし、他のフロアにいる患者の情報が一覧表示されている。また、各患者１０４の情報には、患者１０４が検出されたフロアの情報１７０１、及び患者１０４の所属ベッドの情報１７０２が追加されている。
【０１９４】
このように、他のフロアの表示領域２２０には、フロア毎の表示領域２２１〜２２４を用いずに、他のフロアで検出された患者１０４の位置に関する情報を一覧表示させることができる。
【０１９５】
図１７（ｂ）は、他のフロアの表示領域２２０の別の一例を示している。図１７（ｂ）に示すように、他のフロアの表示領域２２０に表示させる患者１０４の情報は、例えば、患者１０４が検出されたフロアの情報１７０３等でソートし、フロアの情報１７０２の表示を１つにまとめることもできる。
【０１９６】
＜処理の流れ＞
図１８は、第２の実施形態に係る他のフロアの表示領域を作成する処理の例を示すフローチャートである。なお、図１８のステップＳ１６０１〜Ｓ１６０３、及びステップＳ１６０５、Ｓ１６０６の処理は、図１６に示す第１の実施形態に係る処理と同様なので、ここでは、第１の実施形態に係る処理との相違点を中心に説明を行う。
【０１９７】
ステップＳ１８０１に移行すると、情報処理装置１１０の表示制御部７１５は、Ｍ番目の患者１０４が検出されたフロア名、患者１０４の性別に応じた移動アイコン、患者名、及び所属ベッドの情報を含む、Ｍ番目の患者の情報を作成する。
【０１９８】
ステップＳ１８０２に移行すると、表示制御部７１５は、作成した複数の患者の情報を、例えば、フロア名でソートして、他のフロアの表示領域２２０に、例えば、図１７（ａ）、（ｂ）に示すように一覧表示する。
【０１９９】
上記の処理により、本実施形態に係る情報処理システムでは、表示装置１１１に表示させる表示画面２００の他のフロアの表示領域２２０に、患者１０４がいるフロア名、性別、患者名に加えて、患者１０４の所属ベッドの情報を表示することができる。
【０２００】
また、本実施形態では、例えば、図２に示す他のフロアの表示領域２２０における２階の表示領域２２２等のように、移動している患者１０４の数が少ないフロアに対する表示領域を節約することができる。
【０２０１】
さらに、本実施形態では、フロアの数が多い場合でも、各フロアの表示領域２２１〜２２４を予め用意する必要がないので、より多くのフロアを表示対象とすることができるようになる。
【０２０２】
［第３の実施形態］
第１、２の実施形態では、他のフロアの表示領域２２０には、他のフロアで検出された患者１０４の移動先のフロアを特定するための情報を表示していた。第３の実施形態では、他のフロアの表示領域２２０に、他のフロアで検出された患者１０４の行先を示す情報をさらに表示させる場合の例について説明を行う。
【０２０３】
また、第３の実施形態では、各患者１０４のベッドアイコンに、患者１０４の行先に関する情報を表示させる場合の例についても合わせて説明する。
【０２０４】
図１９は、第３の実施形態に係る他のフロアの患者の情報の表示例を示す図である。
【０２０５】
図１９（ａ）は、第３の実施形態に係る他のフロアの表示領域２２０の表示方法の一例を示している。図１９（ａ）の例では、例えば、図１７（ａ）に示す他のフロアの表示領域２２０に含まれている患者１０４の情報に加えて、患者１０４の行先を示す行先アイコン（画像情報）１９１１、及び行先の略称１９１２が含まれている。これにより、表示装置１１１に表示された表示画面２００を見た医療関係者は、患者１０４が検出されたフロア名だけではなく、行先の部屋等を認識することができるようになる。
【０２０６】
図１９（ｂ）は、第３の実施形態に係るベッドアイコンの表示方法の一例を示している。図１９（ｂ）の例では、例えば、患者１２、１３のように、所属病室にいる患者１０４のベッドアイコンは、第１の実施形態と同様に、丸形で内部が斜線でハッチングされたベッドアイコン１９２１で表される。
【０２０７】
一方、他の患者１１、１４〜１８のように、所属病室にいない患者１０４のベッドアイコンは、第１の実施形態と同様の丸形で内部がハッチングされていないベッドアイコンと共に、行先アイコン１９２２、１９２３、行先の部屋番号１９２４、又は行先フロア名１９２５等の表示要素が表示されている。これにより、表示装置１１１に表示された表示画面２００を見た医療関係者は、所属病室にいない患者１０４が、どこにいるのか、認識することができるようになる。
【０２０８】
好ましくは、図１９（ａ）に示す行先アイコン１９１１のうち、例えば、喫煙、玄関等のように、患者の行先として注意が必要な場所の行先アイコン１９１１は、例えば、色（例えば赤色等）や、大きさ等を変えて、強調表示される。同様に、図１９（ｂ）に示す行先アイコン１９２２、１９２３のうち、患者の行先として注意が必要な場所の行先アイコン１９２３は、強調表示されることが望ましい。
【０２０９】
（フロア情報）
図２０は、第３の実施形態に係るフロア情報の例を示す図である。図２０に示すように、本実施形態に係るフロア情報７２３は、例えば、図１０（ａ）に示すフロア情報７２３に含まれる情報に加えて、「他フロア表示」２００１、「病室内表示要素」２００２の情報が含まれる。また、フロア情報７２３には、「エリア種別」２００３の情報が含まれていても良い。
【０２１０】
「他フロア表示要素」２００１には、例えば、図１９（ａ）に示す他のフロアの表示領域２２０に表示させる行先アイコン１９１１と、行先の略称１９１２とが記憶されている。
【０２１１】
「病室内表示要素」２００２には、例えば、図１９（ｂ）に示す、所属病室にいない患者１０４のベッドアイコンと共に表示される表示要素が記憶されている。
【０２１２】
なお、図２０では表示を省略しているが、第３の実施形態に係るフロア情報７２３にも、図１０に示すフロア情報７２３と同様に、座標情報、配置図等の情報も含まれているものとする。
【０２１３】
エリア種別は、例えば、図２に示す表示画面２００に示す食堂２１３等のように、複数の患者１０４が集まる場所等を、外枠（例えば、表示領域２４０等）に表示させる区域等を指定する。
【０２１４】
また、別の一例として、情報処理装置１１０は、エリア種別の情報によらずに、１つの区域（例えば、食堂等）で、予め定められた数以上の患者１０４が検出されたときに、その区域にいる患者１０４の情報を、外枠に表示させるものであっても良い。
【０２１５】
＜処理の流れ＞
（他のフロアの表示領域の作成処理）
図２１は、第３の実施形態に係る他のフロアの表示領域を作成する処理の例を示すフローチャートである。なお、基本的な処理の流れは、第１、２の実施形態と同様なので、ここでは詳細な説明は省略し、第１、２の実施形態との相違点を中心に説明を行う。
【０２１６】
ステップＳ２１０１において、変数Ｍを１に初期化する。
【０２１７】
ステップＳ２１０２において、表示制御部７１５は、例えば、図１２に示すような特定情報７２４から、Ｍ番目の患者が検出されたフロア名、患者名、性別、所属ベッド、及び検出装置ＩＤ等の情報を取得する。
【０２１８】
ステップＳ２１０３において、表示制御部７１５は、Ｍ番目の患者のベッド番号に基づいて、Ｍ番目の患者のベッドアイコンを、性別に応じた「不在」アイコンとし、ベッドアイコンの上に患者名を表示する。
【０２１９】
ステップＳ２１０４において、表示制御部７１５は、ステップＳ２１０２で取得した検出装置ＩＤに対応する行先アイコン、略称を、例えば、図２０に示すようなフロア情報７２３から取得する。
【０２２０】
ステップＳ２１０５において、表示制御部７１５は、取得したフロア名、行先アイコン、略称、患者の性別に応じた移動アイコン、患者名、及び所属ベッドの情報を含む、Ｍ番目の患者１０４の患者の情報を作成する。
【０２２１】
ステップＳ２１０６において、表示制御部７１５は、Ｍの値が、他のフロアで検出された患者の数であるＭｍａｘに達したか否かを判断する。
【０２２２】
例えば、Ｍの値がＭｍａｘ未満の場合、表示制御部７１５は、ステップＳ２１０７において、Ｍに１を加算して、ステップＳ２１０２〜Ｓ２１０５の処理を繰り返し実行する。
【０２２３】
一方、Ｍの値がＭ以上の場合、表示制御部７１５は、処理をステップＳ２１０８に移行させる。
【０２２４】
ステップＳ２１０８に移行すると、表示制御部７１５は、作成した複数の患者の情報を、例えば、フロア名等でソートして、他のフロアの表示領域２２０に、例えば、図１９（ａ）に示すように一覧表示する。なお、このとき、表示制御部７１５は、他のフロアの表示領域２２０に表示させるフロア名の情報を、図１７（ｂ）に示すように、フロア毎にまとめて表示させるものであっても良い。
【０２２５】
（ベッドアイコンの表示処理）
図２２は、第３の実施形態に係るベッドアイコンの表示処理の例を示すフローチャートである。情報処理装置１１０の表示制御部７１５は、例えば、図２に示すような表示画面２００のレイアウト図２１０において、ベッドアイコンの各々に対して、図２２に示すベッドアイコンの表示処理を実行する。
【０２２６】
ステップＳ２２０１において、表示制御部７１５は、例えば、図１２に示すような特定情報７２４から、表示処理の対象となるベッドアイコンの「所属ベッド」の情報に対応する患者名、検出装置ＩＤ、エリア名、性別、所属病室等の情報を取得する。
【０２２７】
ステップＳ２２０２において、表示制御部７１５は、取得した情報に基づいて、ベッドアイコンに対応する患者１０４が、所属病室で検出されたか否かを判断する。例えば、表示制御部７１５は、患者１０４が検出された位置（エリア名）が、所属病室の病室番号と一致する場合、患者１０４が所属病室で検出されたと判断することができる。
【０２２８】
ベッドアイコンに対応する患者１０４が、所属病室で検出された場合、表示制御部７１５は、処理をステップＳ２２０３に移行させる。一方、ベッドアイコンに対応する患者１０４が、所属病室で検出されない場合、表示制御部７１５は、処理をステップＳ２２０４に移行させる。
【０２２９】
ステップＳ２２０３に移行すると、表示制御部７１５は、ベッドアイコンを、ベッドアイコンに対応する患者１０４の性別に応じた「在室」アイコンとし、ベッドアイコンの上に患者名を表示する。
【０２３０】
ステップＳ２２０４に移行すると、表示制御部７１５は、ベッドアイコンを、ベッドアイコンに対応する患者１０４の性別に応じた「不在」アイコンとし、ベッドアイコンの上に患者名を表示する。
【０２３１】
ステップＳ２２０５において、表示制御部７１５は、例えば、図２０に示すようなフロア情報７２３から、ステップＳ２２０１で取得した検出装置ＩＤに対応する病室内表示要素を取得する。
【０２３２】
ステップＳ２２０６において、表示制御部７１５は、取得した病室内表示要素を、例えば、図１９（ｂ）に示すように、「不在」アイコンの内部（又は近傍）に表示する。
【０２３３】
上記の処理により、情報処理装置１１０の表示制御部７１５は、例えば、図１９（ｂ）に示すように、「不在」アイコンの内部等に、ベッドアイコンに対応する患者１０４の行先に関する情報を表示することができるようになる。
【０２３４】
［第４の実施形態］
第１〜３の実施形態に示す表示制御処理により、情報処理装置１１０は、表示対象となるフロアに所属する患者１０４のうち、病院１０１の検出範囲内で検出された患者１０４の位置に関する情報を、表示画面２００に表示させることができる。
【０２３５】
好適な一例として、第４の実施形態では、表示対象となるフロアに所属する患者１０４のうち、病院１０１の検出範囲内で検出されなかった患者１０４の情報を、例えば、図２に示す表示領域２５０等に表示させる場合の例について説明する。
【０２３６】
図２３は、第４の実施形態に係る情報処理装置の処理の流れを示すフローチャートである。なお、図２３のステップＳ１３０１〜Ｓ１３０６の処理は、図１３に示す情報処理装置の処理と同様なので、ここでは、図１３に示す処理との相違点を中心に説明を行う。
【０２３７】
ステップＳ２３０１において、情報処理装置１１０の表示制御部７１５は、ステップＳ１３０１〜Ｓ１３０６の処理を終えると、表示対象となるフロアに所属する患者１０４のうち、病院１０１の検出範囲内で検出されなかった患者１０４を特定する。
【０２３８】
例えば、表示制御部７１５は、図９（ｂ）に示すような表示対象となるフロアの所属情報７２１に含まれている患者１０４のうち、図１２に示すような特定情報７２４に含まれていない患者１０４を、検出されなかった患者１０４と判断する。
【０２３９】
ステップＳ２３０２において、表示制御部７１５は、特定した、検出されなかった患者１０４を、例えば、図２に示す表示画面２００に含まれる、検出されなかった患者の情報を表示する表示領域２５０等に表示させる。
【０２４０】
上記の処理により、表示装置１１１等に表示された表示画面２００を見た医療関係者は、病院１０１の検出範囲内で検出されなかった患者１０４を、容易に認識することができるようになる。
【０２４１】
［第５の実施形態］
第５の実施形態では、好適な一例として、情報処理装置１１０が、レイアウト図２１０の表示方向が異なる複数の表示画面を生成し、表示装置が設置された方向に応じた表示画面を、表示装置に提供する場合の例について説明する。
【０２４２】
図２４は、第５の実施形態に係る表示装置の表示画面の一例を示す図である。一例として、表示対象となるフロアには、図２４に示すように、ナースステーションＡ２４０１と、ナースステーションＢ２４０２の２つのナースステーションがあるものとする。
【０２４３】
ナースステーションＡ２４０１には、例えば、デジタルサイネージ等の大型の表示装置１１１−１が設置されており、矢印の方向に表示面を向けて設置されているものとする。また、ナースステーションＢ２４０２には、例えば、デジタルサイネージ等の大型の表示装置１１１−２が設置されており、矢印の方向に表示面を向けて設置されているものとする。
【０２４４】
ここで、ナースステーションＡ２４０１に設置された表示装置１１１−１に、図２４に示すような表示画面２４００を表示するものとする。この場合、実際に病室３０１がある方向と、表示画面２４００上の病室３０１の方向が一致しているので、表示画面２４００を見た医療関係者は、病室３０１の方向を容易に把握することができる。
【０２４５】
一方、ナースステーションＢ２４０２に設置された表示装置１１１−２に、図２４に示すような表示画面２４００を表示するものとする。この場合、実際に病室３０１がある方向と、表示画面２４００上の病室３０１の方向とが逆になるので、表示画面２４００を見た医療関係者は、病室３０１の方向を把握し難いという問題がある。
【０２４６】
そこで、本実施形態に係る情報処理装置１１０は、表示装置１１１が設置された方向に応じて、例えば、ナースステーションＢ２４０２に設置された表示装置１１１−２には、図２５に示すような表示画面２５００を表示させる。図２５に示す表示画面２５００は、表示対象となるフロアのレイアウト図２１０が、１８０度回転して表示されている。これにより、実際に病室３０１がある方向と、表示画面２５００上の病室３０１の方向が一致し、表示画面２４００を見た医療関係者は、病室３０１の方向を把握することが容易になる。
【０２４７】
図２６は、第５の実施形態に係る配信先情報の例を示す図である。情報処理装置１１０の記憶部７１７には、例えば、図２６に示されるような配信先情報７２５が記憶されている。
【０２４８】
図２６の例では、配信先情報７２５には、「管理ＩＤ」、「装置名」、「装置種別」、「ＩＰアドレス」、「表示方向」、「備考」等の情報が含まれる。
【０２４９】
「管理ＩＤ」は、情報処理装置１１０が表示画面を表示させる配信先を識別するための識別情報である。「装置名」は、配信先の装置の名前である。「装置種別」は、例えば、情報処理装置１１０、表示装置１１１、情報端末１１２等の種別を示す情報である。
【０２５０】
例えば、図２６において、情報処理装置１１０の装置名は「配信サーバ」、装置種別は、「ＰＣ」であるものとする。また、図２４のナースステーションＡ２４０１に設置された表示装置１１１−１の装置名は「ナース３−１」、装置種別は「サイネージ」であるものとする。同様に、図２４のナースステーションＢ２４０２に設置された表示装置１１１−２の装置名は「ナース３−２」、装置種別は「サイネージ」であるものとする。
【０２５１】
「ＩＰアドレス」は、配信先の装置の宛先情報である。宛先情報は、例えば、ＭＡＣアドレス等のＩＰアドレス以外の宛先情報であっても良い。
【０２５２】
「表示方向」は、表示画面の表示方向である。例えば、図２４に示す表示画面２４００の表示方向を「正」とし、図２５に示す表示画面２５００の表示方向を「逆」で表すものとする。
【０２５３】
「備考」には、一例として、配信先の装置の設置場所の情報、或いは、ノートＰＣ、タブレット端末、スマートフォン等の可搬型の装置では、装置の利用者の情報等が記憶されている。
【０２５４】
情報処理装置１１０は、例えば、表示方向が「正」の表示画面２４００、及び表示方向が「逆」の表示画面２５００を作成し、図２６に示すような配信先情報７２５に従って、各配信先の「表示方向」に応じた表示画面を送信する。
【０２５５】
なお、ナースステーションＡ２４０１に設置された表示装置１１１−１、及びナースステーションＢ２４０２に設置された表示装置１１１−２の「表示方向」は、管理者等により、好適な表示方向が、配信先情報７２５に予め登録されているものとする。
【０２５６】
また、図２６のノートＰＣでは、情報処理装置１１０は、表示方向が「正」と「逆」の２つの表示画面を送信し、ノートＰＣ側で、いずれか一方、又は両方を選択的に表示する。
【０２５７】
さらに、図２６のタブレット端末、スマートフォン等では、情報処理装置１１０は、配信先からの要求に応じて、「正」、又は「逆」の表示画面を送信する。
【０２５８】
以上、本実施形態によれば、情報処理装置１１０は、配信先の表示装置１１１−１、１１１−２等が設置された方向に応じた表示画面２４００、２５００を、表示装置１１１−１、１１１−２に提供することができるようになる。
【０２５９】
［第６の実施形態］
（背景技術）
病院等の医療施設において、識別情報を送信する無線端末を患者に装着し、無線端末が送信する識別情報に基づいて、患者の位置等を管理する情報処理システムが知られている。
【０２６０】
例えば、患者がＩＤ信号を発信する無線送信機を携行して、病院内に設置された無線受信機がＩＤ信号を受信し、所定の時間を経過してもＩＤ信号を受信しない場合に、患者不在情報を通知するナースコールシステムが知られている（例えば、特許文献２参照）。
【０２６１】
（発明が解決しようとする課題）
病院等の医療施設において、例えば、ナースステーションに設置された表示装置等に、フロア内の入院患者、医療関係者、医療機器等の無線端末を装着した表示対象の現在位置を表示し、表示対象の現在位置を把握したいという要求がある。
【０２６２】
しかし、表示対象が装着する無線タグの無線タグＩＤは、例えば、表示対象の位置、遮蔽物の有無、電波状況等により、無線タグＩＤを受信する測位装置によって正しく検出されない場合がある。特に、表示対象の動きが少ない場合には、無線タグＩＤが検出されない状態が長時間（例えば、１時間以上）に亘って継続する場合がある。
【０２６３】
このような場合、特許文献２に開示された技術では、例えば、患者（表示対象の一例）が病室に在室しているにもかかわらず、不在であると判断され、医療関係者等に誤った位置情報（例えば、不在情報）が提供されてしまう。これにより、患者が病室に在室している場合であっても、医療関係者等は、例えば、患者の安否確認等、不要な行動を求められることになる。
【０２６４】
なお、このような課題は、表示対象が患者である場合に限られず、例えば、表示対象が医療関係者や、医療機器等である場合にも同様に存在する。また、このような課題は、医療施設に限られず、表示対象の位置を管理する様々な施設においても同様に存在する。
【０２６５】
本実施形態は、上記の問題点に鑑みてなされたものであって、所定の領域で検出される表示対象の情報を表示装置に表示させる情報処理装置において、表示対象が所定の領域内にある場合に、誤った位置情報が提供されることを低減させることを目的とする。
【０２６６】
（課題を解決するための手段）
上記課題を解決するため、本実施形態に係る情報処理装置は、施設内の所定の領域で検出される表示対象の情報を表示装置に表示させる情報処理装置であって、前記所定の領域で検出され、端末識別情報を発信する無線端末を装着した前記表示対象の情報を管理する情報管理部と、前記所定の領域に設置され、複数の測位装置から送信される前記端末識別情報及び前記測位装置の装置識別情報と前記測位装置が設置された設置場所の情報とから特定される、前記表示対象が検出された領域である検出領域を含む位置情報を管理する位置情報管理部と、前記表示対象の前記位置情報が検出されなかった場合、前記表示対象が最後に検出された前記検出領域に応じて、所定の期間、前記最後に検出された検出領域にて前記表示対象が検出されたとするよう前記位置情報を補正する補正制御部と、補正された検出領域を含む前記位置情報を用いて、前記表示対象の情報を前記表示装置に表示させる表示制御部と、を有する。
【０２６７】
（発明の効果）
本実施形態によれば、所定の領域で検出される表示対象の情報を表示装置に表示させる情報処理装置において、表示対象が所定の領域内にある場合に、誤った位置情報が提供されることを低減させることができる。
【０２６８】
（発明を実施するための形態）
以下に、本実施形態について、添付の図面を参照して説明する。
【０２６９】
＜機能構成＞
図２７は、第６実施形態に係る情報処理システムの機能構成図である。図２７に示す情報処理システム１００は、図１に示す情報処理システム１００に対応している。
【０２７０】
本実施形態では、表示対象に、患者１０４に加えて、医療関係者２７０１や、医療機器等の機器２７０２等が含まれる。
【０２７１】
医療関係者２７０１は、例えば、医師、看護師、介護士、放射線技師等、医療施設で勤務する様々な人であり、ここでは、医療関係者２７０１が、医師又は看護師であるものとして以下の説明を行う。医療関係者２７０１は、例えば、ＩＤカード等の無線タグ１０３を、ネックストラップ等を用いて装着しているものとする。
【０２７２】
機器２７０２は、例えば、人工呼吸器、車いす等、医療施設に備えられている様々な機器であり、管理者等によって無線タグ１０３が装着されているものとする。
【０２７３】
情報処理装置１１０は、病院等の医療施設における所定のフロア（所定の領域の一例）で検出される患者１０４、医療関係者２７０１、機器２７０２等の表示対象の情報を、表示装置１１１等に表示させる。
【０２７４】
なお、検出装置１０２、無線タグ１０３、ゲートウェイ１０５、外部サーバ１０８、患者情報管理サーバ１０９、表示装置１１１、及び情報端末１１２の各装置の構成は、図７に示す各装置の構成と同様である。
【０２７５】
（情報処理装置の機能構成）
本実施形態に係る情報処理装置１１０は、通信部７１１、位置情報管理部７１３、特定部７１４、表示制御部７１５、操作受付部７１６、記憶部７１７、情報管理部２７１１、及び補正制御部２７１２等を有する。
【０２７６】
通信部７１１は、例えば、図３のネットワークＩ／Ｆ部３０５、及び図３のＣＰＵ３０１で実行されるプログラム等によって実現され、情報処理装置１１０を、ＬＡＮ１０６等のネットワークに接続して、他の装置と通信を行うための手段である。
【０２７７】
情報管理部２７１１は、例えば、図３のＣＰＵ３０１で実行されるプログラムによって実現される。情報管理部２７１１は、例えば、病院等の医療施設における所定のフロア（所定の領域）で検出される表示対象（患者１０４、医療関係者２７０１、機器２７０２等）の情報である管理情報２７２１を、記憶部７１７等に記憶して管理する。
【０２７８】
図２８は、第６の実施形態に係る管理情報の例を示す図である。図２８に示すように、管理情報２７２１は、例えば、「無線タグＩＤ」、「属性」、「名前」、「所属フロア」、「既定のエリア」、「その他」等の情報を含む。
【０２７９】
「無線タグＩＤ」の情報は、患者１０４、医療関係者２７０１、機器２７０２等の表示対象が装着している無線タグ１０３の無線タグＩＤである。
【０２８０】
「属性」の情報は、無線タグ１０３を装着している表示対象の属性を示す情報である。図２８の例では、属性には、表示対象が患者１０４であることを示す「患者」、表示対象が医療関係者２７０１であることを示す「医療関係者」、表示対象が機器２７０２であることを示す「機器」等が記憶されている。
【０２８１】
「名前」の情報は、例えば、患者の氏名、医療関係者の氏名、機器の管理名等であり、図２８の例では、説明を容易にするため、簡易的な名前（例えば、「患者１１」、「医師Ａ」、「機器Ａ」等）を用いている。
【０２８２】
「所属フロア」の情報は、表示対象が検出されるフロア（所定の領域の一例）を示す情報である。
【０２８３】
「既定のエリア」の情報は、表示対象が位置していることが多い領域（位置）である既定のエリアを示す情報である。例えば、表示対象が入院中の患者１０４である場合、既定のエリアは患者１０４が入院している病室等である。また、表示対象が看護師（医療関係者２７０１の一例）である場合、既定のエリアは看護師の担当フロアのナースステーション等である。さらに、表示対象が機器２７０２である場合、既定のエリアは、例えば、機器２７０２が保管されている倉庫等である。
【０２８４】
「その他」の情報には、上記の各情報以外の様々な情報が含まれる。
【０２８５】
本実施形態では、例えば、図２８に示すような管理情報２７２１が、管理者等によって予め設定され、情報処理装置１１０の記憶部７１７に記憶されているものとする。
【０２８６】
図２７に戻り、情報処理装置１１０の機能構成の説明を続ける。
【０２８７】
位置情報管理部７１３は、例えば、図３のＣＰＵ３０１で実行されるプログラムによって実現され、表示対象となるフロア（所定の領域）で検出される表示対象に装着された無線タグ１０３が検出された検出領域を示す位置情報を管理する。
【０２８８】
位置情報管理部７１３は、例えば、表示対象となるフロアに設置され、互いに異なる検出領域を形成する複数の検出装置から送信される無線タグＩＤ及び検出装置ＩＤを含む検出情報（例えば、図８（ｂ）参照）を外部サーバ１０８から取得する。
【０２８９】
また、位置情報管理部７１３は、外部サーバ１０８から取得した検出情報と、記憶部７１７に予め記憶したフロア情報７２３とを用いて、無線タグ１０３が検出された検出領域を示す位置情報７２２を作成し、記憶部７１７に記憶して管理する。
【０２９０】
図２９は、第６の実施形態に係る検出装置の配置の例を示す図である。図２９には、病院１０１の３階における検出装置１０２の配置の例が示されている。複数の検出装置１０２は、表示対象となるフロアに設置され、互いに異なる複数の検出領域を形成している。また、各検出装置１０は、無線タグ１０３から受信した無線タグＩＤと、自装置の検出装置ＩＤとを、外部サーバ１０８に送信する。
【０２９１】
複数の検出装置１０２が形成する複数の検出領域には、他の検出領域を介さずに、表示対象となるフロアとは異なる場所（例えば、他のフロアや病院１０１の外等）に移動できる１つ以上の検出領域（以下、外部接続エリアと呼ぶ）が含まれる。
【０２９２】
例えば、図２９において、検出装置１０２−３９が形成する検出領域（通路３Ｇ）は、他の検出領域を介さずに、階段Ａを用いて他のフロア等の移動可能なので、外部接続エリアとなる。同様に、検出装置１０２−１６が形成する検出領域（通路３Ｂ）は、他の検出領域を介さずに、階段Ｂを用いて他のフロア等に移動可能なので、外部接続エリアとなる。さらに、検出装置１０２−３８が形成する検出領域（通路３Ｆ）は、他の検出領域を介さずに、ＥＶ（エレベータ）を用いて他のフロア等に移動可能なので、外部接続エリアとなる。
【０２９３】
また、複数の検出装置１０２が形成する複数の検出領域には、他の検出領域を介さずに、表示対象となるフロアとは異なる場所に移動できない１つ以上の検出領域（以下、通常のエリアと呼ぶ）が含まれる。また、通常のエリアには、各表示対象の属性に対応する既定の検出領域（以下、既定のエリアと呼ぶ）が含まれる。
【０２９４】
例えば、図２９において、前述した外部接続エリア以外の検出領域は、他の検出領域を介さずに、他のフロア等に移動することはできないので、通常のエリアとなる。また、例えば、患者１０４が入院している病室は、患者１０４の既定のエリアとなり、ナースステーションは、看護師の既定のエリアとなる。
【０２９５】
このように、複数の検出装置１０２が形成する複数の検出領域は、通常のエリア（第１の検出領域）、表示対象に対応する既定のエリア（第２の検出領域）、及び外部接続エリア（第３の検出領域）を含む。
【０２９６】
再び図２７に戻り、情報処理装置１１０の機能構成の説明をさらに続ける。
【０２９７】
特定部７１４は、例えば、図３のＣＰＵ３０１で実行されるプログラムによって実現され、表示対象となるフロアで検出された患者１０４と、他のフロアで検出された患者１０４とを特定する。特定部７１４の機能は、図７に示した特定部７１４と同様である。
【０２９８】
補正制御部２７１２は、例えば、図３のＣＰＵ３０１で実行されるプログラムによって実現され、表示対象の位置情報が検出されない場合、表示対象が最後に検出された検出領域に応じて、所定の期間、表示対象の位置情報を補正する。例えば、補正制御部２７１２は、表示対象が検出されなかった検出領域を含んでいた場合、表示対象が最後に検出された検出領域にて表示対象が検出されたとするように、表示対象の位置情報を補正する。
【０２９９】
図３０（ａ）は、補正情報２７２２の一例を示している。図３０（ａ）の例では、補正情報２７２２には、表示対象の「属性」と、表示対象が最後に検出された検出領域（既定のエリア、通常のエリア、外部接続エリア等）に対応する「補正期間」の情報が記憶されている。
【０３００】
例えば、図３０（ａ）において、位置情報が検出されない表示対象の属性が「患者」であり、表示対象が最後に検出された検出領域が「既定のエリア」である場合、補正期間が２時間であることが示されている。また、位置情報が検出されない表示対象の属性が「患者」であり、表示対象が最後に検出された検出領域が「通常のエリア」である場合、補正期間が１時間であることが示されている。
【０３０１】
本実施形態では、表示対象が装着している無線タグ１０３は、例えば、３〜５秒程度の比較的短い時間間隔で無線タグＩＤを送信している。これにより、例えば、図２９において、病室３０１に入院している患者１０４が、病室３０１から出ると、他の検出領域（例えば、通路３Ａ）で位置情報が検出されるようになっている。
【０３０２】
従って、例えば、図２９において、病室３０１に入院している患者１０４の位置情報が検出されなくなり、かつ他の検出領域（例えば、通路３Ａ）で患者１０４の位置情報が検出されていない場合、患者１０４は病室３０１にいると推定することができる。
【０３０３】
また、患者１０４が既定のエリアである病室３０１にいる場合、例えば、寝ている患者１０４の影になって無線タグＩＤを検出できない状態が、通常のエリアより長く継続することが想定される。従って、例えば、図３０（ａ）に示すように、既定のエリアの補正期間は、通常のエリアの補正期間より、長く設定されている。
【０３０４】
同様に、例えば、医療関係者２７０１は、例えば、看護師であればナースステーション等の既定のエリアにいる時間が比較的長いと考えられ、機器２７０２は、倉庫等の既定のエリアに置かれている時間が比較的長いと考えられる。従って、図３０（ａ）の例では、既定のエリアの補正期間（第２の期間）は、通常のエリアの補正期間（第１の期間）より長く設定されている。
【０３０５】
また、図３０（ａ）の例では、位置情報が検出されない表示対象の属性が「患者」であり、表示対象が最後に検出された検出領域が「外部接続エリア」である場合、補正期間が「補正なし」に設定されている。これは、表示対象が外部接続エリアで検出され、その後、位置情報が検出されなくなった場合、表示対象が表示対象フロアとは異なる場所に移動した可能性があるので、表示対象の位置を推定することができないためである。
【０３０６】
なお、図３０（ａ）に示す補正情報２７２２は、あくまで一例であり、「属性」や「補正期間」はさらに細分化されていても良い。
【０３０７】
図３０（ｂ）は、補正情報２７２２の別の一例を示している。図３０（ｂ）の例では、属性「医療関係者」は、「医師」、「看護師」等の複数の属性に細分化されており、属性「機器」は、「人工呼吸器」、「車いす」等の複数の属性に細分化されている。
【０３０８】
また、図３０（ｂ）の例では、「外部接続エリア」は、「階段エリア」、「ＥＶエリア」に細分化され、通常のエリアの補正期間（第１の期間）より短い補正期間（第３の期間）が設定されている。
【０３０９】
例えば、患者１０４が、図３１の階段Ｂを用いて、３階から他の階（例えば１階）に移動すると、一時的（例えば、１分程度）に、患者１０４の位置情報は検出されなくなるが、すぐに他の階で患者１０４の位置情報が検出されるようになると考えられる。図３０（ｂ）の例では、この一時的に表示対象の位置情報が検出されなくなる期間、補正制御部２７１２が、位置情報を補正するように設定されている。
【０３１０】
補正制御部２７１２は、表示対象の位置情報が検出されない場合、図１０（ａ）、（ｂ）に示すような補正情報２７２２を用いて補正期間を取得し、取得した補正期間、表示対象の位置情報が、最後に検出された検出領域となるように補正する。例えば、補正制御部２７１２は、取得した補正期間、表示対象が最後に検出された検出領域にて表示対象が検出されたとするように表示対象の位置情報を補正する。
【０３１１】
表示制御部７１５は、例えば、図３のＣＰＵ３０１で実行されるプログラムによって実現され、表示対象の位置情報を用いて、表示装置１１１等の表示画面に表示させるレイアウト図２１０に、表示対象の情報を表示させる。
【０３１２】
図３１は、第６の実施形態に係る表示装置の表示画面の例を示す図である。図３１には、一例として、病院１０１の３階（所定の領域の一例）のナースステーション等に設けられた表示装置１１１に表示される表示画面２００のイメージが示されている。
【０３１３】
図３１に示す表示画面２００には、病院１０１の３階のレイアウト図２１０、及び他のフロアの表示領域２２０等が含まれる。なお、本実施形態では、他のフロアの表示領域２２０は必須ではない。
【０３１４】
また、表示装置１１１には、表示画面２００と共に、表示画面２００に表示される複数のアイコンの凡例２３０等が表示されるものであっても良い。
【０３１５】
レイアウト図２１０には、表示対象となるフロアにある部屋や、通路等の配置が示されている。図２の例では、レイアウト図２１０には、複数の病室２１１、ナースステーション２１２、食堂２１３、階段２１４、ＥＶ（エレベータ）３１０５等の配置が示されている。
【０３１６】
図３１において、各病室２１１の上部に示される３桁の数字は、病室の番号を示している。病室３０１の内部には、例えば、病室３０１に設置されたベッドの位置に対応する４つのベッドアイコン２１６が表示されており、各ベッドアイコン２１６の上には、ベッドアイコンに対応するベッドを使用している患者の名前２１７が示されている。
【０３１７】
図３１の例では、ベッドアイコン２１６は、入院患者が所属する病室内に在室しているか否かと、入院患者の性別を示している。例えば、凡例２３０に示すように、丸形で内部が斜線でハッチングされたベッドアイコン２３１は、入院患者が病室内に在室しており、性別が男性であることを示している。また、丸形で内部がハッチングされていないベッドアイコン２３２は、入院患者が病室内に在室しておらず、性別が男性であることを示している。
【０３１８】
同様に、矩形で内部が斜線でハッチングされたベッドアイコン２３５は、入院患者が病室内に在室しており、性別が女性であることを示している。また、矩形で内部がハッチングされていないベッドアイコン２３６は、入院患者が病室内に在室しておらず、性別が女性であることを示している。
【０３１９】
また、丸形の破線のベッドアイコン２３４は、対応するベッドを入院患者が使用していないことを示す空き状態であることを示している。
【０３２０】
このベッドアイコンにより、表示画面２００を見た医療関係者は、当該フロアに所属する入院患者が、所属する病室にいるか否かを容易に判断することができる。
【０３２１】
また、レイアウト図２１０には、所属している病室内に在室していない入院患者が当該フロア内にいる場合、入院患者の位置を示す移動アイコン２３３、２３７と、移動アイコン２３３、２３７に対応する入院患者の名前が表示される。例えば、図３１において、患者３０は、所属病室である病室３０８には在室しておらず、病室３１２の前にいることが示されている。
【０３２２】
また、表示対象が医療関係者２７０１である場合、レイアウト図２１０には、医療関係者２７０１の位置を示す医療関係者アイコン３１０１が表示される。例えば、図３１の例では、看護師Ａが階段Ｂの前にいること、看護師Ｂがナースステーション２１２にいることが示されている。
【０３２３】
さらに、表示対象が機器２７０２である場合、レイアウト図２１０には、機器２７０２の位置を示す機器アイコン３１０２が表示される。例えば、図３１の例では、機器Ａが倉庫にあること、機器Ｂがナースステーション２１２にあることが示されている。
【０３２４】
このように、表示画面２００に表示されるレイアウト図２１０には、表示対象の位置情報を用いて、当該フロアで検出される表示対象の情報（現在位置、名前、在／不在の情報等）が表示される。
【０３２５】
なお、図３１に示す表示方法は、表示対象の情報を表示する表示方法の一例である。本実施形態では、図３１と異なる表示方法で、表示対象の情報を表示するものであっても良い。例えば、患者１０４の情報は、医療関係者２７０１や機器２７０２と同様に、ベッドアイコンを用いずに、現在の位置を示す移動アイコン２３３、２３７によって示されるものであっても良い。
【０３２６】
また、他のフロアの表示領域２２０には、病院１０１内の他のフロア（例えば、１階、２階、４階、５階）で検出された入院患者の位置に関する情報が一覧表示されている。例えば、図３１の例では、病室３１５に入院している患者５１は、病室３１５には在室しておらず、１階にいることが示されている。
【０３２７】
＜処理の流れ＞
続いて、第６の実施形態に係る表示制御方法の処理の流れについて説明する。
【０３２８】
（情報処理装置の表示処理）
図３２は、第６の実施形態に係る情報処理装置の表示処理の一例を示すフローチャートである。なお、基本的な処理は、図１３に示す一実施形態に係る情報処理装置の処理と同様なので、ここでは詳細な説明は省略する。
【０３２９】
ステップＳ３２０１において、情報管理部２７１１は、記憶部７１７に記憶している管理情報２７２１から、表示対象となるフロアで検出される患者１０４、医療関係者２７０１、機器２７０２等の表示対象の情報を取得する。
【０３３０】
ステップＳ３２０２において、位置情報管理部７１３は、表示対象となるフロアで検出される表示対象に装着された無線タグ１０３の検出情報を取得する。例えば、位置情報管理部７１３は、管理情報２７２１に含まれる無線タグＩＤに対応する検出情報を、外部サーバ１０８から取得する。
【０３３１】
ステップＳ３２０３において、位置情報管理部７１３は、取得した検出情報と予め記憶したフロア情報７２３とから、表示対象が検出された検出領域を示す位置情報７２２を作成し、例えば、記憶部７１７に記憶する。
【０３３２】
ステップＳ３２０４において、補正制御部２７１２は、位置情報が検出されない表示対象に対して、例えば、図３３、又は図３７で後述する位置情報の補正処理を実行する。
【０３３３】
ステップＳ３２０５において、特定部７１４は、管理情報２７２１と、表示対象の位置情報との対応関係から、表示対象となるフロアに所属する患者１０４のうち、当該フロアで検出された患者１０４と、他のフロアで検出された患者を特定する。
【０３３４】
ステップＳ３２０６において、表示制御部７１５は、表示画面２００に表示するレイアウト図２１０に、当該フロアで検出された表示対象の情報を表示させる。例えば、表示制御部７１５は、図３１に示すように、レイアウト図２１０に、当該フロアで検出された表示対象の情報を表示させる。
【０３３５】
ステップＳ３２０７において、表示制御部７１５は、表示画面２００に表示する他のフロアの表示領域２２０に、当該フロアで検出される患者１０４のうち、当該フロアとは異なる他のフロアで検出された患者１０４の位置に関する情報を一覧表示させる。例えば、表示制御部７１５は、図３１に示すように、他のフロアの表示領域２２０に、他のフロアで検出された患者１０４の情報を表示させる。なお、本実施形態では、ステップＳ３２０７の処理は必須ではない。
【０３３６】
（位置情報の補正処理１）
図３３は、第６の実施形態に係る位置情報の補正処理の一例を示すフローチャートである。この処理は、図３２のステップＳ３２０４で、補正制御部２７１２によって実行される位置情報の補正処理の一例を示している。
【０３３７】
ステップＳ３３０１において、補正制御部２７１２は、例えば、位置情報管理部７１３が管理する位置情報７２２を用いて、位置情報が検出されていない表示対象を特定する。
【０３３８】
ステップＳ３３０２において、補正制御部２７１２は、位置情報が検出されていない表示対象があるか否かに応じて処理を分岐させる。
【０３３９】
位置情報が検出されていない表示対象がない場合、補正制御部２７１２は位置情報の補正処理を終了させる。一方、位置情報が検出されていない表示対象がある場合、補正制御部２７１２は、処理をステップＳ３３０３に移行させる。
【０３４０】
ステップＳ３３０３に移行すると、補正制御部２７１２は、位置情報が検出されていない表示対象の位置情報の履歴を取得する。
【０３４１】
図３４は、第６の実施形態に係る位置情報の履歴の一例を示す図である。ここでは、一例として、図２８に示す管理情報２７２１に含まれる表示対象のうち、看護師Ａと患者１１の位置情報が検出されなかったものとして、以下の説明を行う。
【０３４２】
図３４（ａ）は、看護師Ａの位置情報の履歴の例を示している。位置情報の履歴は、「無線タグＩＤ」、「検出日時」、「検出装置ＩＤ」、「検出領域」等の情報を含み、例えば、位置情報の履歴の取得要求に応じて、位置情報管理部７１３から提供される。
【０３４３】
「無線タグＩＤ」は、表示対象が装着する無線タグ１０３の識別情報である。
【０３４４】
「検出日時」は、位置情報が検出された日時を示す情報である。図３４の検出日時において、「ａａ」、「ｂｂ」、「ｃｃ」、「ｄｄ」、・・・は、「秒」を示し、所定の時間間隔（例えば、３〜５秒程度）で位置情報の履歴が記録されているものとする。
【０３４５】
「検出装置ＩＤ」は、「検出日時」に「無線タグＩＤ」を検出した検出装置１０２の識別情報である。「検出領域」は、「検出装置ＩＤ」に対応する検出装置１０２が形成する検出領域を示す情報である。
【０３４６】
図３４（ａ）の例では、無線タグＩＤ「ｘｘｘｘ２０００１」を発信する無線タグ１０３を装着する看護師Ａは、検出日時「２０ｘｘ．９．１１ ８：１９：ａａ〜ｃｃ」の間、「通路３Ｂ」で検出されたことが示されている。また、看護師Ａは、検出日時「２０ｘｘ．９．１１ ８：１９：ｄｄ」には、位置情報が検出されていないことが示されている。
【０３４７】
図２９の検出装置の配置を参照すると、「通路３Ｂ」は、他の検出領域を介さずに、階段Ｂを用いて、他のフロア等に移動できる「外部接続エリア」なので、図３４（ａ）に示す看護師Ａの位置情報からは、看護師Ａが、検出日時「２０ｘｘ．９．１１ ８：１９：ｄｄ」に、３階フロアにいるかどうかを判断することはできない。
【０３４８】
図３４（ｂ）は、患者１１の位置情報の履歴の例を示している。図３４（ｂ）の例では、無線タグＩＤ「ｘｘｘｘ００００１」を発信する無線タグ１０３を装着する患者１１は、検出日時「２０ｘｘ．９．１１ ８：１９：ａａ〜ｂｂ」の間、「病室３０１」で検出されたことが示されている。また、患者１１は、検出日時「２０ｘｘ．９．１１ ８：１９：ｃｃ〜ｄｄ」には、位置情報が検出されていないことが示されている。
【０３４９】
図２９の検出装置の配置を参照すると、「病室３０１」は、他の検出領域（通路３Ａ）を介さずに、他のフロア等に移動できない「通常エリア」なので、患者１１が、病室３０１から移動した場合、他の検出領域（例えば、通路３Ａ）で検出されるはずである。
【０３５０】
なお、無線タグ１０３が発信する無線タグＩＤが検出装置１０２に検出されないタグロストは、無線タグ１０３が移動していないときに発生することが多く、無線タグ１０３が移動しているときには発生し難いことが、実験的に判っている。従って、図３４（ｂ）に示す患者１１の位置情報から、患者１１が、検出日時「２０ｘｘ．９．１１ ８：１９：ｃｃ〜ｄｄ」に、病室３０１にいると推定することができる。
【０３５１】
図３３に戻り、フローチャートの説明を続ける。
【０３５２】
ステップＳ３３０４〜Ｓ３３１１において、情報処理装置１１０の補正制御部２７１２は、例えば、図３０（ａ）に示す補正情報２７２２を用いて、位置情報の補正処理を実行する。
【０３５３】
ステップＳ３３０４において、補正制御部２７１２は、表示対象の最後の検出領域が、外部接続エリアであるかを判断する。
【０３５４】
表示対象の最後の検出領域が外部接続エリアである場合、図３０（ａ）に示す補正情報２７２２において「補正なし」であるため、補正制御部２７１２は、位置情報の補正処理を中止し、処理を終了させる。
【０３５５】
一方、表示対象の最後の検出領域が外部接続エリアでない場合、補正制御部２７１２は、処理をステップＳ３３０５に移行させる。
【０３５６】
ステップＳ３３０５に移行すると、補正制御部２７１２は、例えば、図２８に示すような管理情報２７２１を用いて、表示対象の属性を特定し、最後の検出領域が表示対象の既定のエリアであるかを判断する。
【０３５７】
最後の検出領域が表示対象の既定のエリアである場合、補正制御部２７１２は、処理をステップＳ３３０６に移行させる。一方、最後の検出領域が表示対象の既定のエリアでない場合、補正制御部２７１２は、処理をステップＳ３３０９に移行させる。
【０３５８】
ステップＳ３３０６に移行すると、補正制御部２７１２は、例えば、図３０（ａ）に示す補正情報２７２２から、表示対象の属性に対応する既定のエリアの補正期間を取得する。図３０（ａ）の例では、既定のエリアの補正期間は、表示対象の属性が、「患者」の場合２時間、「医療関係者」の場合３０分、「機器」の場合２４時間である。
【０３５９】
ステップＳ３３０７において、補正制御部２７１２は、現在の日時が、表示対象が最後に検出された日時から、ステップＳ３３０６で取得した既定のエリアの補正期間内であるかを判断する。
【０３６０】
既定のエリアの補正期間内でない場合、補正制御部２７１２は、処理を終了させる。一方、既定のエリアの補正期間内である場合、補正制御部２７１２は、処理をステップＳ３３０８に移行させる。
【０３６１】
ステップＳ３３０８に移行すると、補正制御部２７１２は、表示対象の位置情報が、表示対象が最後に検出された検出領域となるように補正する。例えば、補正制御部２７１２は、表示対象が最後に検出された検出領域にて表示対象が検出されたとするように表示対象の位置情報を補正する。
【０３６２】
ステップＳ３３０９に移行すると、補正制御部２７１２は、例えば、図３０（ａ）に示す補正情報２７２２から、表示対象の属性に対応する通常のエリアの補正期間を取得する。図３０（ａ）の例では、通常のエリアの補正期間は、表示対象の属性が、「患者」の場合１時間、「医療関係者」の場合１０分、「機器」の場合２時間である。
【０３６３】
ステップＳ３３１０において、補正制御部２７１２は、現在の日時が、表示対象が最後に検出された日時から、ステップＳ３３０６で取得した通常のエリアの補正期間内であるかを判断する。
【０３６４】
通常のエリアの補正期間内でない場合、補正制御部２７１２は、処理を終了させる。一方、通常のエリアの補正期間内である場合、補正制御部２７１２は、処理をステップＳ３３１１に移行させる。
【０３６５】
ステップＳ３３１１に移行すると、補正制御部２７１２は、表示対象の位置情報が、最後に検出された検出領域となるように補正する。例えば、補正制御部２７１２は、表示対象が最後に検出された検出領域にて表示対象が検出されたとするように表示対象の位置情報を補正する。
【０３６６】
上記の処理では、例えば、図３４（ａ）に示す看護師Ａの位置情報では、最後に検出された検出領域が外部接続エリアなので、補正制御部２７１２による看護師Ａの位置情報の補正は行われない。
【０３６７】
一方、例えば、図３４（ｂ）に示す患者１１の位置情報では、最後に検出された検出領域が通常エリア（又は既定のエリア）なので、補正制御部２７１２により、患者１１の位置情報が、例えば、図３４（ｃ）に示すように補正される。
【０３６８】
このように、本実施形態に係る補正制御部２７１２は、表示対象の位置情報が検出されない場合、表示対象が最後に検出された検出領域に応じて、所定の期間、表示対象が最後に検出された検出領域にて表示対象が検出されたとするように表示対象の位置情報を補正する。
【０３６９】
＜表示画面の例＞
図３５は、第６の実施形態に係る補正を行わない場合の表示画面の例を示す図である。この図は、図３１に示す表示装置の表示画面２００において、看護師Ａと患者１１が装着している無線タグ１０３の無線タグＩＤが検出できず、かつ図３３に示す本実施形態に係る補正処理を行わない場合の表示画面２００の例を示している。
【０３７０】
図３５に示すように、本実施形態に係る補正処理を行わない場合、患者１１が、病室３０１に在室している場合であっても、無線タグＩＤが取得できないので、不在を示すベッドアイコン３５０１が表示される。図３５に示す表示画面２００では、例えば、ナースステーションの看護師Ｂは、表示画面２００で患者１１の所在を確認することができないので、必要に応じて、病室３０１まで安否の確認に行くという、本来は不要な行動が求められる。
【０３７１】
図３６は、第６の実施形態に係る補正後の表示画面の一例を示す図である。この図は、図３１に示す表示装置の表示画面２００において、看護師Ａと患者１１が装着している無線タグ１０３の無線タグＩＤが検出できず、かつ図３３に示す本実施形態に係る補正処理を実行した場合の表示画面２００の例を示している。
【０３７２】
図３６に示すように、本実施形態に係る補正処理を行った場合、患者１１が、病室３０１に在室していれば、無線タグＩＤが取得できなくても、所定の期間（例えば、患者の既定のエリアの補正期間）、在室を示すベッドアイコン３５０１が表示される。これにより、ナースステーションの看護師Ｂは、表示画面２００で患者１１の所在を確認することができるので、病室３０１まで安否確認に行くという不要な行動が抑制される。
【０３７３】
このように、本実施形態によれば、所定の領域で検出される表示対象の情報を表示装置１１１に表示させる情報処理装置１１０において、表示対象が所定の領域内にある場合に、誤った位置情報が提供されることを低減させることができる。
【０３７４】
（別の一例）
＜処理の流れ＞
（位置情報の補正処理２）
図３７は、第６の実施形態に係る位置情報の補正処理の別の一例を示すフローチャートである。この処理は、情報処理装置１１０の補正制御部２７１２が、例えば、図３０（ｂ）に示すような補正情報２７２２を用いて、位置情報の補正処理を実行する場合の処理の例を示している。なお、基本的な処理は、図３３に示す補正処理と同様なので、ここでは、詳細な説明を省略する。
【０３７５】
ステップＳ３７０１において、補正制御部２７１２は、例えば、位置情報管理部７１３が管理する位置情報７２２を用いて、位置情報が検出されていない表示対象を特定する。
【０３７６】
ステップＳ３７０２において、補正制御部２７１２は、位置情報が検出されない表示対象があるか否かに応じて処理を分岐させる。
【０３７７】
位置情報が検出されていない表示対象がない場合、補正制御部２７１２は位置情報の補正処理を終了させる。一方、位置情報が検出されていない表示対象がある場合、補正制御部２７１２は、処理をステップＳ３７０３に移行させる。
【０３７８】
ステップＳ３７０３に移行すると、補正制御部２７１２は、位置情報が検出されていない表示対象の位置情報の履歴を取得する。
【０３７９】
ステップＳ３７０４において、補正制御部２７１２は、例えば、図２８に示すような管理情報２７２１を用いて、表示対象の属性を特定し、表示対象の属性と、最後に検出された領域に対応する補正期間を取得する。
【０３８０】
例えば、図３０（ｂ）において、表示対象の属性が「患者」である場合、「既定のエリア」の補正期間は１時間、「通常のエリア」の補正期間は３０分、「階段エリア」の補正期間は３分、「ＥＶエリア」の補正期間は２分である。
【０３８１】
また、図３０（ｂ）において、表示対象の属性が「看護師」である場合、「既定のエリア」の補正期間は３０分、「通常のエリア」の補正期間は１０分、「階段エリア」の補正期間は３分、「ＥＶエリア」の補正期間は１分である。
【０３８２】
ステップＳ３７０５において、補正制御部２７１２は、現在の日時が、表示対象が最後に検出された日時から、ステップＳ３７０４で取得した補正期間内であるかを判断する。
【０３８３】
取得した補正期間内でない場合、補正制御部２７１２は、処理を終了させる。一方、取得した補正期間内である場合、補正制御部２７１２は、処理をステップＳ３７０６に移行させる。
【０３８４】
ステップＳ３７０６に移行すると、補正制御部２７１２は、表示対象の位置情報を、最後に検出された検出領域に補正する。例えば、補正制御部２７１２は、表示対象が最後に検出された検出領域にて表示対象が検出されたとするように表示対象の位置情報を補正する。
【０３８５】
図３８は第６の実施形態に係る位置情報の履歴の別の一例を示す図である。図３８（ａ）に示す看護師Ａの位置情報では、最後に検出された検出領域が、前述したように外部接続エリアとなっているが、上記の処理により、図３８（ｂ）に示すように、看護師Ａの位置情報が補正される。
【０３８６】
このように、補正制御部２７１２は、例えば、図３３に示す補正処理では位置情報が補正できなかった外部接続エリアにいる看護師Ａの位置情報を、所定の補正期間（１分）又は他のフロアで位置情報が検出されるまで補正することができるようになる。
【０３８７】
＜表示画面の例＞
図３９は、第６の実施形態に係る補正後の表示画面の別の一例を示す図である。この図は、図３１に示す表示装置の表示画面２００において、看護師Ａと患者１１が装着している無線タグ１０３の無線タグＩＤが検出できず、かつ図３７に示す本実施形態に係る補正処理を実行した場合の表示画面２００の例を示している。
【０３８８】
図３９に示すように、図３７に示す補正処理を行った場合、患者１１が、病室３０１に在室していれば、無線タグＩＤが取得できなくても、所定の期間（例えば、患者の既定のエリアの補正期間）、在室を示すベッドアイコン３５０１が表示される。さらに、外部接続領域にいる看護師Ａの医療関係者アイコン３９０１が、所定の期間（例えば１分間）、又は看護師Ａの位置情報が再び検出されるまで、表示される。
【０３８９】
（変形例）
図３６、３９に示す表示画面２００は、第６の実施形態に係る補正処理を適用した表示画面の一例である。本実施形態に係る補正処理は、上記の表示制御方法に限られず、様々な表示制御方法に適用することができる。
【０３９０】
例えば、図３９に示す表示画面２００では、情報処理装置１１０の表示制御部７１５は、補正制御部２７１２によって補正された表示対象の情報を、補正されていない他の表示対象と同様の表示方法で表示していた。
【０３９１】
変形例として、情報処理装置１１０の表示制御部７１５は、補正制御部２７１２によって補正された表示対象の情報を、補正された情報であることを判別できるように表示するものであっても良い。
【０３９２】
図４０は、第６の実施形態の変形例に係る補正後の表示画面の例を示す図である。図４０に示す表示画面２００では、補正制御部２７１２によって位置情報が補正された患者１１のベッドアイコン３５０１、及び看護師Ａの医療関係者アイコン３９０１には、補正された情報であることを示す表示要素４００１（例えば、「＊」）が付加されている。
【０３９３】
これにより、例えば、ナースステーションにいる看護師Ｂは、患者１１、看護師Ａの情報が推定された位置であり確度が比較的低いこと、及び他の表示対象の情報の確度が比較的高いことを判断することができるようになる。
【０３９４】
好ましくは、情報処理装置１１０の表示制御部７１５は、検出されない表示対象の位置情報が、再び検出された場合、再検出されたことが判別できるように表示対象の情報を表示させる。
【０３９５】
例えば、図４０に示す表示画面において、患者１１の位置情報が再検出された場合、表示制御部７１５は、患者１１のベッドアイコン３５０１を強調表示（例えば、点滅、大きさの変更、色の変更等）させる。或いは、表示制御部７１５は、補正された情報であることを示す表示要素４００１を消すことにより、表示対象が再検出されたことを示すものであっても良い。
【０３９６】
なお、上記の各実施形態に示す情報処理システム１００のシステム構成は一例であり、情報処理システム１００は、様々なシステム構成が可能である。例えば、情報処理装置１１０の記憶部７１７に記憶された各情報は、情報処理装置１１０の外部に設けられた外部サーバや、外部記憶装置等に記憶されるものであっても良い。また、情報処理装置１１０の各機能構成は、複数の情報処理装置によって実現されるものであっても良い。
【０３９７】
以上、本実施形態によれば、例えば、電波の状況等により、無線タグ（無線端末）１０３が発信する無線タグＩＤ（識別情報）が検出されないときでも、表示対象に関する、より適切な情報を表示装置１１１等に表示させることができるようになる。
【０３９８】
すなわち、本実施形態によれば、病院１０１等の施設において、所定の領域で検出される患者等の表示対象に関する、より適切な情報を表示装置１１１等に表示させる情報処理装置１１０を提供することができるようになる。
【符号の説明】
【０３９９】
１００      情報処理システム
１０１      病院（医療施設）
１０２      検出装置（測位装置）
１０３      無線タグ（無線端末）
１０４      患者（表示対象の一例）
１０８      外部サーバ（検出情報管理装置）
１０９      患者情報管理サーバ（患者情報管理装置）
１１０      情報処理装置
２００、２４００、２５００      表示画面
２１０      レイアウト図（配置図）
２２０      他のフロアの表示領域（所定の表示領域）
７１２      所属情報管理部
７１３    位置情報管理部
７１４      特定部
７１５      表示制御部
２７０１    医療関係者（表示対象の一例）
２７０２    機器（表示対象の一例）
２７１１    情報管理部
２７１２    補正制御部
【先行技術文献】
【特許文献】
【０４００】
【特許文献１】特開２００９−１９８２０９号公報
【特許文献２】特開２００９−２８４４４号公報
【図１】
2020194607.tif 000003
【図２】
2020194607.tif 000004
【図３】
2020194607.tif 000005
【図４】
2020194607.tif 000006
【図５】
2020194607.tif 000007
【図６】
2020194607.tif 000008
【図７】
2020194607.tif 000009
【図８】
2020194607.tif 000010
【図９】
2020194607.tif 000011
【図１０】
2020194607.tif 000012
【図１１】
2020194607.tif 000013
【図１２】
2020194607.tif 000014
【図１３】
2020194607.tif 000015
【図１４】
2020194607.tif 000016
【図１５】
2020194607.tif 000017
【図１６】
2020194607.tif 000018
【図１７】
2020194607.tif 000019
【図１８】
2020194607.tif 000020
【図１９】
2020194607.tif 000021
【図２０】
2020194607.tif 000022
【図２１】
2020194607.tif 000023
【図２２】
2020194607.tif 000024
【図２３】
2020194607.tif 000025
【図２４】
2020194607.tif 000026
【図２５】
2020194607.tif 000027
【図２６】
2020194607.tif 000028
【図２７】
2020194607.tif 000029
【図２８】
2020194607.tif 000030
【図２９】
2020194607.tif 000031
【図３０】
2020194607.tif 000032
【図３１】
2020194607.tif 000033
【図３２】
2020194607.tif 000034
【図３３】
2020194607.tif 000035
【図３４】
2020194607.tif 000036
【図３５】
2020194607.tif 000037
【図３６】
2020194607.tif 000038
【図３７】
2020194607.tif 000039
【図３８】
2020194607.tif 000040
【図３９】
2020194607.tif 000041
【図４０】
2020194607.tif 000042